(57)【要約】  ワイヤレス通信のための方法、システム、およびデバイスが説明される。多入力多出力(MIMO)送信をサポートするワイヤレスシステムでは、デバイスは、通信の信頼性を改善するためにビームフォーミングを実施し得る。ユーザ機器(UE)は、基地局から受信される基準信号に基づく通信のための、ビームの集合と、対応するビームインデックスとを選択し得る。UEは、テーブルのスケーラブル集合を使用して、ビームインデックスの各々に対応する値を決定し得る。たとえば、UEは、選択されたビームの数に基づいてテーブルの部分集合を選択することができ、これらのテーブルに基づいて値を決定することができる。このようにして、UEは、複数の異なる構成に対するテーブルの集合を効率的に記憶することができる。UEは、対応する値を合計して合成インデックス値を取得することができ、合成インデックス値を基地局に送信することができる。基地局は、この合成インデックス値に基づいて、選択されたビームを決定することができる。
2020530687.tif 000002
【特許請求の範囲】
【請求項１】
ワイヤレス通信のための方法であって、
基地局に報告するための選択されたビームの集合を特定するステップと、
ビームインデックスの集合のうちの第1のビームインデックスと関連付けられる第1の値を決定するステップであって、前記第1の値が第1のテーブルの第1のインデックス値に対応し、ビームインデックスの前記集合が、選択されたビームの前記集合の選択されたビームの数に等しい数のビームインデックスを備える、ステップと、
1つまたは複数の追加のテーブルに少なくとも一部基づいて、ビームインデックスの前記集合のうちの1つまたは複数の追加のビームインデックスと関連付けられる追加の値を決定するステップと、
前記第1の値と前記追加の値のうちの1つまたは複数とを加算して、合成インデックス値を決定するステップと、
前記基地局に、選択されるビームの前記集合を示す前記合成インデックス値を送信するステップとを備える、方法。
【請求項２】
チャネル状態情報を報告するためのコードブックのコードブックタイプの構成を受信するステップと、
前記基地局から、前記基地局の1つまたは複数のアンテナポートと関連付けられる基準信号の集合を受信するステップと、
前記コードブックタイプと、基準信号の前記集合または前記1つまたは複数のアンテナポートのうちの少なくとも1つとに少なくとも一部基づいて、ビームインデックスの前記集合を特定するステップとをさらに備える、請求項1に記載の方法。
【請求項３】
ビームインデックスの前記特定される集合が、前記構成されるコードブックタイプがビーム選択コードブックを備える場合は前記コードブックの符号語インデックスに対応し、または、前記構成されるコードブックタイプがポート選択コードブックを備える場合はアンテナポートインデックスに対応する、請求項2に記載の方法。
【請求項４】
前記ビーム選択コードブックの各符号語がベースシーケンスを備え、
前記ビーム選択コードブックが直交ベースシーケンスの1つまたは複数の集合を備える、請求項3に記載の方法。
【請求項５】
前記1つまたは複数の追加のテーブルの各々に記憶されている値の集合が、前記第1のテーブルの先行するテーブルまたは前記1つまたは複数の追加のテーブルに記憶されている値の先行する集合に少なくとも一部基づく、請求項1に記載の方法。
【請求項６】
値の前記集合のうちのある値が、値の前記集合の先行する値と値の前記先行する集合の先行するテーブル値の合計であり、前記先行する値および前記先行するテーブル値が同じビームインデックスと関連付けられることがある、請求項5に記載の方法。
【請求項７】
前記第1のテーブルおよび前記1つまたは複数の追加のテーブルの各テーブルが同じ長さを有し、各テーブルに対するアクティブなエントリの数が、アンテナポートの構成される数、ビームの構成される数、またはこれらの組合せに少なくとも一部基づく、請求項1に記載の方法。
【請求項８】
アンテナポートの第1の構成される数、ビームの構成される数、またはこれらの組合せを示す第1の構成を、前記基地局から受信するステップと、
アンテナポートの前記第1の構成される数、ビームの構成される数、またはこれらの組合せに少なくとも一部基づいて、前記第1のテーブルおよび前記1つまたは複数の追加のテーブルの各テーブルに対するアクティブなエントリの第1の集合を選択するステップとをさらに備える、請求項1に記載の方法。
【請求項９】
アンテナポートの第2の構成される数、ビームの構成される数、またはこれらの組合せを示す第2の構成を前記基地局から受信するステップであって、アンテナポートの前記第2の構成される数、ビームの構成される数、またはこれらの組合せが、アンテナポートの前記第1の構成される数、ビームの構成される数、またはこれらの組合せより大きい、ステップと、
アンテナポートの前記第2の構成される数、ビームの構成される数、またはこれらの組合せに少なくとも一部基づいて、前記第1のテーブルおよび前記1つまたは複数の追加のテーブルの各テーブルに対するアクティブなエントリの第2の集合を選択するステップであって、アクティブなエントリの前記第1の集合がアクティブなエントリの前記第2の集合の部分集合である、ステップとをさらに備える、請求項8に記載の方法。
【請求項１０】
アクティブなエントリの数が、チャネル状態情報基準信号を送信するアンテナポートの構成される数、ビームの構成される数、またはこれらの組合せに少なくとも一部基づく、請求項1に記載の方法。
【請求項１１】
選択のためのビームの構成される数を示す構成を前記基地局から受信するステップであって、選択されるビームの前記数が、選択のためのビームの前記構成される数に等しい、ステップと、
選択のためのビームの前記構成される数に少なくとも一部基づいて、ビームインデックスの前記集合を選択するステップとをさらに備える、請求項1に記載の方法。
【請求項１２】
選択のためのビームの前記構成される数を示す第1の構成を前記基地局から受信するステップと、
選択のためのビームの前記構成される数に等しい数のテーブルを備えるテーブルの第1の集合を選択するステップとをさらに備え、前記第1の値および1つまたは複数の追加の値を決定するステップが、テーブルの前記第1の集合に少なくとも一部基づく、請求項11に記載の方法。
【請求項１３】
選択のためのビームの前記数より大きい選択のためのビームの第2の構成される数を示す第2の構成を前記基地局から受信するステップと、
選択のためのビームの前記第2の構成される数に等しい第2の数のテーブルを備えるテーブルの第2の集合を選択するステップとをさらに備え、テーブルの前記第1の集合がテーブルの前記第2の集合の部分集合である、請求項12に記載の方法。
【請求項１４】
前記第1の値が前記第1のビームインデックスに等しい、請求項1に記載の方法。
【請求項１５】
ビームインデックスの前記集合の各々の追加のビームインデックスが、以前の追加のビームインデックスに関して昇順で増大する、請求項1に記載の方法。
【請求項１６】
1つまたは複数の追加のビームインデックスに対する前記追加の値が、前記1つまたは複数の追加のテーブルの現在のテーブルに少なくとも一部基づく、請求項1に記載の方法。
【請求項１７】
前記現在のテーブルから、ビームインデックスの前記集合のうちのある追加のビームインデックスと関連付けられる入力値を特定するステップをさらに備え、前記追加の値が前記入力値に等しい、請求項16に記載の方法。
【請求項１８】
1つまたは複数の追加のビームインデックスに対する前記追加の値が、前記1つまたは複数の追加のテーブルの先行するテーブルおよび現在のテーブルに少なくとも一部基づく、請求項1に記載の方法。
【請求項１９】
ビームインデックスの前記集合のうちのある追加のビームインデックスより1小さい先行するビームインデックスを特定するステップと、
前記先行するテーブルから、前記先行するビームインデックスと関連付けられる第1の入力値を特定するステップと、
前記現在のテーブルから、前記先行するビームインデックスと関連付けられる第2の入力値を特定するステップと、
前記第1の入力値および前記第2の入力値を合計して、前記追加のビームインデックスに対する前記追加の値を取得するステップとをさらに備える、請求項18に記載の方法。
【請求項２０】
ビームインデックスの前記集合のうちのあるビームインデックスを特定するステップをさらに備え、前記ビームインデックスを特定するステップが、
第1の次元に対応する第1のサブビームインデックスを特定するステップと、
第2の次元に対応する第2のサブビームインデックスを特定するステップと、
前記第1のサブビームインデックスおよび前記第2のサブビームインデックスに少なくとも一部基づいて前記ビームインデックスを計算するステップとを備える、請求項1に記載の方法。
【請求項２１】
前記ビームインデックスを計算するステップがさらに、
前記第1のサブビームインデックスを前記第2の次元のサイズと乗じて中間値を取得するステップと、
前記中間値に前記第2のサブビームインデックスを加算して前記ビームインデックスを取得するステップとを備える、請求項20に記載の方法。
【請求項２２】
基準信号の前記集合に少なくとも一部基づいてコードブックから1つまたは複数のビームを選択するステップをさらに備え、ビームインデックスの前記集合を特定するステップが、前記選択された1つまたは複数のビームに少なくとも一部基づく、請求項1に記載の方法。
【請求項２３】
前記選択のために使用される前記コードブックが、アンテナポートの数の構成に少なくとも一部基づく、請求項22に記載の方法。
【請求項２４】
ワイヤレス通信のための方法であって、
ユーザ機器(UE)から、選択されるビームの集合を示す合成インデックス値を受信するステップと、
現在のテーブルおよび前記合成インデックス値に少なくとも一部基づいて、選択されるビームの前記集合のうちの第1の選択されるビームに対する最大のビームインデックスを決定するステップと、
1つまたは複数の追加のテーブルおよび更新された合成インデックス値に少なくとも一部基づいて、選択されるビームの前記集合のうちの各々の追加の選択されるビームに対する追加のビームインデックスを決定するステップとを備える、方法。
【請求項２５】
前記UEに、チャネル状態情報報告に対するコードブックのコードブックタイプの構成を送信するステップと、
前記UEに、1つまたは複数のアンテナポートと関連付けられる基準信号の集合を送信するステップとをさらに備える、請求項24に記載の方法。
【請求項２６】
選択されるビームの前記集合の各々の追加の選択されるビームに対する前記最大のビームインデックスおよび前記追加のビームインデックスが、前記構成されるコードブックタイプがビーム選択コードブックを備える場合は前記コードブックの符号語インデックスに対応し、または、前記構成されるコードブックタイプがポート選択コードブックを備える場合はアンテナポートインデックスに対応する、請求項25に記載の方法。
【請求項２７】
前記ビーム選択コードブックの各符号語がベースシーケンスを備え、
前記ビーム選択コードブックが直交ベースシーケンスの1つまたは複数の集合を備える、請求項26に記載の方法。
【請求項２８】
前記現在のテーブルおよび前記1つまたは複数の追加のテーブルが、メモリに記憶されているテーブルの集合から選択される、請求項24に記載の方法。
【請求項２９】
テーブルの前記集合が、第1のテーブルおよび1つまたは複数の後続のテーブルを備え、前記1つまたは複数の後続のテーブルの各々に記憶されている値の集合が、テーブルの前記集合の先行するテーブルに記憶されている値の先行する集合に少なくとも一部基づく、請求項28に記載の方法。
【請求項３０】
値の前記集合のうちのある値が、値の前記集合の先行する値と値の前記先行する集合の先行するテーブル値の合計であり、前記先行する値および前記先行するテーブル値が同じビームインデックスと関連付けられることがある、請求項29に記載の方法。
【請求項３１】
選択されるビームの前記集合の数に等しい数のテーブルを備えるテーブルの第1の集合を選択するステップをさらに備え、各々の追加の選択されるビームに対する前記最大のビームインデックスおよび前記追加のビームインデックスを決定するステップがテーブルの前記第1の集合に少なくとも一部基づく、請求項28に記載の方法。
【請求項３２】
前記UEから、選択されるビームの第2の集合を示す第2の合成インデックス値を受信するステップであって、選択されるビームの前記第2の集合の数が、選択されるビームの前記集合の前記数より大きい、ステップと、
選択のされるビームの前記第2の集合の前記数に等しい第2の数のテーブルを備えるテーブルの第2の集合を選択するステップであって、テーブルの前記第1の集合がテーブルの前記第2の集合の部分集合である、ステップとをさらに備える、請求項31に記載の方法。
【請求項３３】
各々の追加のビームインデックスが、以前の追加のビームインデックスに関して降順で減少する、請求項24に記載の方法。
【請求項３４】
前記第1の選択されるビームに対する前記最大のビームインデックスを決定するステップがさらに、
前記合成インデックス値以下である前記現在のテーブルの最大の値を特定するステップであって、前記最大のビームインデックスが、前記特定された最大の値に対応するインデックスに設定される、ステップと、
前記特定された最大の値を前記合成インデックス値から差し引くことによって、前記合成インデックス値を更新するステップとを備える、請求項24に記載の方法。
【請求項３５】
各々の追加の選択されるビームに対する前記追加のビームインデックスを決定するステップがさらに、
前記更新された合成インデックス値以下である前記1つまたは複数の追加のテーブルの次のテーブルの追加の最大の値を特定するステップであって、前記追加のビームインデックスが、前記特定された追加の最大の値に対応する追加のインデックスに設定される、ステップと、
前記特定された追加の最大の値を前記更新される合成インデックス値から差し引くことによって、前記更新される合成インデックス値を更新するステップとを備える、請求項34に記載の方法。
【請求項３６】
選択されるビームの前記集合のうちの最後の選択されるビームに対する最小のビームインデックスが、最後の更新される合成インデックス値に等しい、請求項34に記載の方法。
【請求項３７】
メモリに記憶されているテーブルの集合の各テーブルが同じ長さを備え、各テーブルに対するアクティブなエントリの数が、アンテナポートの構成される数、ビームの構成される数、またはこれらの組合せに少なくとも一部基づく、請求項24に記載の方法。
【請求項３８】
アンテナポートの第1の構成される数、ビームの構成される数、またはこれらの組合せを特定するステップと、
アンテナポートの前記第1の構成される数、ビームの構成される数、またはこれらの組合せに少なくとも一部基づいて、メモリに記憶されているテーブルの集合の各テーブルに対するアクティブなエントリの第1の集合を選択するステップとをさらに備える、請求項24に記載の方法。
【請求項３９】
アンテナポートの第2の構成される数、ビームの構成される数、またはこれらの組合せを特定するステップであって、アンテナポートの前記第2の構成される数、ビームの構成される数、またはこれらの組合せが、アンテナポートの前記第1の構成される数、ビームの構成される数、またはこれらの組合せより大きい、ステップと、
アンテナポートの前記第2の構成される数、ビームの構成される数、またはこれらの組合せに少なくとも一部基づいて、テーブルの前記集合の各テーブルに対するアクティブなエントリの第2の集合を選択するステップであって、アクティブなエントリの前記第1の集合がアクティブなエントリの前記第2の集合の部分集合である、ステップとをさらに備える、請求項38に記載の方法。
【請求項４０】
メモリに記憶されているテーブルの集合の各テーブルが、チャネル状態情報基準信号(CSI-RS)を送信するアンテナポートの構成される数、ビームの構成される数、またはこれらの組合せに少なくとも一部基づく数のアクティブなエントリを備える、請求項24に記載の方法。
【請求項４１】
ビームインデックスに対して、第1の次元に対応する第1のサブビームインデックスと、第2の次元に対応する第2のサブビームインデックスとを計算するステップとをさらに備える、請求項24に記載の方法。
【請求項４２】
前記第1のサブビームインデックスを計算するステップが、
前記ビームインデックスを前記第2の次元のサイズで割って中間値を取得するステップと、
前記中間値を最も近い整数に切り下げて前記第1のサブビームインデックスを取得するステップとを備える、請求項41に記載の方法。
【請求項４３】
前記第2のサブビームインデックスを計算するステップが、
前記ビームインデックスを前記第2の次元のサイズで割って前記第2のサブビームインデックスを取得するステップを備え、前記第2のサブビームインデックスが前記除算の剰余である、請求項41に記載の方法。
【請求項４４】
コードブックおよび前記最大のビームインデックスおよび各々の追加のビームインデックスに少なくとも一部基づいて、選択されるビームの前記集合を特定するステップをさらに備える、請求項24に記載の方法。
【請求項４５】
前記特定のために使用される前記コードブックが、アンテナポートの数の構成に少なくとも一部基づく、請求項44に記載の方法。
【請求項４６】
ワイヤレス通信のための装置であって、
基地局に報告するための選択されたビームの集合を特定するための手段と、
ビームインデックスの集合のうちの第1のビームインデックスと関連付けられる第1の値を決定するための手段であって、前記第1の値が第1のテーブルの第1のインデックスに対応し、ビームインデックスの前記集合が、選択されたビームの前記集合の選択されたビームの数に等しい数のビームインデックスを備える、手段と、
1つまたは複数の追加のテーブルに少なくとも一部基づいて、ビームインデックスの前記集合のうちの1つまたは複数の追加のビームインデックスと関連付けられる追加の値を決定するための手段と、
前記第1の値と前記追加の値のうちの1つまたは複数とを加算して、合成インデックス値を決定するための手段と、
前記基地局に、選択されるビームの前記集合を示す前記合成インデックス値を送信するための手段とを備える、装置。
【請求項４７】
チャネル状態情報を報告するためのコードブックのコードブックタイプの構成を受信するための手段と、
前記基地局から、前記基地局の1つまたは複数のアンテナポートと関連付けられる基準信号の集合を受信するための手段と、
前記コードブックタイプと、基準信号の前記集合または前記1つまたは複数のアンテナポートのうちの少なくとも1つとに少なくとも一部基づいて、ビームインデックスの前記集合を特定するための手段とをさらに備える、請求項46に記載の装置。
【請求項４８】
ビームインデックスの前記特定される集合が、前記構成されるコードブックタイプがビーム選択コードブックを備える場合は前記コードブックの符号語インデックスに対応し、または、前記構成されるコードブックタイプがポート選択コードブックを備える場合はアンテナポートインデックスに対応する、請求項47に記載の装置。
【請求項４９】
前記1つまたは複数の追加のテーブルの各々に記憶されている値の集合が、前記第1のテーブルの先行するテーブルまたは前記1つまたは複数の追加のテーブルに記憶されている値の先行する集合に少なくとも一部基づく、請求項46に記載の装置。
【請求項５０】
値の前記集合のうちのある値が、値の前記集合の先行する値と値の前記先行する集合の先行するテーブル値の合計であり、前記先行する値および前記先行するテーブル値が同じビームインデックスと関連付けられることがある、請求項49に記載の装置。
【請求項５１】
前記第1のテーブルおよび前記1つまたは複数の追加のテーブルの各テーブルが同じ長さを有し、各テーブルに対するアクティブなエントリの数が、アンテナポートの構成される数、ビームの構成される数、またはこれらの組合せに少なくとも一部基づく、請求項46に記載の装置。
【請求項５２】
アンテナポートの第1の構成される数、ビームの構成される数、またはこれらの組合せを示す第1の構成を、前記基地局から受信するための手段と、
アンテナポートの前記第1の構成される数、ビームの構成される数、またはこれらの組合せに少なくとも一部基づいて、前記第1のテーブルおよび前記1つまたは複数の追加のテーブルの各テーブルに対するアクティブなエントリの第1の集合を選択するための手段とをさらに備える、請求項46に記載の装置。
【請求項５３】
アンテナポートの第2の構成される数、ビームの構成される数、またはこれらの組合せを示す第2の構成を前記基地局から受信するための手段であって、アンテナポートの前記第2の構成される数、ビームの構成される数、またはこれらの組合せが、アンテナポートの前記第1の構成される数、ビームの構成される数、またはこれらの組合せより大きい、手段と、
アンテナポートの前記第2の構成される数、ビームの構成される数、またはこれらの組合せに少なくとも一部基づいて、前記第1のテーブルおよび前記1つまたは複数の追加のテーブルの各テーブルに対するアクティブなエントリの第2の集合を選択するための手段であって、アクティブなエントリの前記第1の集合がアクティブなエントリの前記第2の集合の部分集合である、手段とをさらに備える、請求項52に記載の装置。
【請求項５４】
選択のためのビームの構成される数を示す構成を前記基地局から受信するための手段であって、選択されるビームの前記数が、選択のためのビームの前記構成される数に等しい、手段と、
選択のためのビームの前記構成される数に少なくとも一部基づいて、ビームインデックスの前記集合を選択するための手段とをさらに備える、請求項46に記載の装置。
【請求項５５】
選択のためのビームの前記構成される数を示す第1の構成を前記基地局から受信するための手段と、
選択のためのビームの前記構成される数に等しい数のテーブルを備えるテーブルの第1の集合を選択するための手段とをさらに備え、前記第1の値および1つまたは複数の追加の値を決定することが、テーブルの前記第1の集合に少なくとも一部基づく、請求項54に記載の装置。
【請求項５６】
選択のためのビームの前記構成される数より大きい選択のためのビームの第2の構成される数を示す第2の構成を前記基地局から受信するための手段と、
選択のためのビームの前記第2の構成される数に等しい第2の数のテーブルを備えるテーブルの第2の集合を選択するための手段とをさらに備え、テーブルの前記第1の集合がテーブルの前記第2の集合の部分集合である、請求項55に記載の装置。
【請求項５７】
ビームインデックスの前記集合のうちのあるビームインデックスを特定するための手段をさらに備え、前記ビームインデックスを特定するための前記手段がさらに、
第1の次元に対応する第1のサブビームインデックスを特定するための手段と、
第2の次元に対応する第2のサブビームインデックスを特定するための手段と、
前記第1のサブビームインデックスおよび前記第2のサブビームインデックスに少なくとも一部基づいて前記ビームインデックスを計算するための手段とを備える、請求項46に記載の装置。
【請求項５８】
前記第1のサブビームインデックスを前記第2の次元のサイズと乗じて中間値を取得するための手段と、
前記中間値に前記第2のサブビームインデックスを加算して前記ビームインデックスを取得するための手段とをさらに備える、請求項57に記載の装置。
【請求項５９】
ワイヤレス通信のための装置であって、
ユーザ機器(UE)から、選択されるビームの集合を示す合成インデックス値を受信するための手段と、
現在のテーブルおよび前記合成インデックス値に少なくとも一部基づいて、選択されるビームの前記集合のうちの第1の選択されるビームに対する最大のビームインデックスを決定するための手段と、
1つまたは複数の追加のテーブルおよび更新された合成インデックス値に少なくとも一部基づいて、選択されるビームの前記集合のうちの各々の追加の選択されるビームに対する追加のビームインデックスを決定するための手段とを備える、装置。
【請求項６０】
前記UEに、チャネル状態情報報告に対するコードブックのコードブックタイプの構成を送信するための手段と、
前記UEに、1つまたは複数のアンテナポートと関連付けられる基準信号の集合を送信するための手段とをさらに備える、請求項59に記載の装置。
【請求項６１】
選択されるビームの前記集合の各々の追加の選択されるビームに対する前記最大のビームインデックスおよび前記追加のビームインデックスが、前記構成されるコードブックタイプがビーム選択コードブックを備える場合は前記コードブックの符号語インデックスに対応し、または、前記構成されるコードブックタイプがポート選択コードブックを備える場合はアンテナポートインデックスに対応する、請求項60に記載の装置。
【請求項６２】
前記現在のテーブルおよび前記1つまたは複数の追加のテーブルが、メモリに記憶されているテーブルの集合から選択される、請求項59に記載の装置。
【請求項６３】
テーブルの前記集合が、第1のテーブルおよび1つまたは複数の後続のテーブルを備え、前記1つまたは複数の後続のテーブルの各々に記憶されている値の集合が、テーブルの前記集合の先行するテーブルに記憶されている値の先行する集合に少なくとも一部基づく、請求項62に記載の装置。
【請求項６４】
値の前記集合のうちのある値が、値の前記集合の先行する値と値の前記先行する集合の先行するテーブル値の合計であり、前記先行する値および前記先行するテーブル値が同じビームインデックスと関連付けられることがある、請求項63に記載の装置。
【請求項６５】
前記合成インデックス値以下である前記現在のテーブルの最大の値を特定するための手段であって、前記最大のビームインデックスが、前記特定された最大の値に対応するインデックスに設定される、手段と、
前記特定された最大の値を前記合成インデックス値から差し引くことによって、前記合成インデックス値を更新するための手段とをさらに備える、請求項59に記載の装置。
【請求項６６】
前記更新された合成インデックス値以下である前記1つまたは複数の追加のテーブルの次のテーブルの追加の最大の値を特定するための手段であって、前記追加のビームインデックスが、前記特定された追加の最大の値に対応する追加のインデックスに設定される、手段と、
前記特定された追加の最大の値を前記更新される合成インデックス値から差し引くことによって、前記更新される合成インデックス値を更新するための手段とをさらに備える、請求項65に記載の装置。
【請求項６７】
選択されるビームの前記集合のうちの最後の選択されるビームに対する最小のビームインデックスが、最後の更新される合成インデックス値に等しい、請求項65に記載の装置。
【請求項６８】
ワイヤレス通信のための装置であって、
プロセッサと、
前記プロセッサと電子的に通信するメモリと、
前記メモリに記憶された命令とを備え、前記命令が、前記プロセッサによって実行されると、前記装置に、
基地局に報告するための選択されたビームの集合を特定させ、
ビームインデックスの集合のうちの第1のビームインデックスと関連付けられる第1の値を決定させ、前記第1の値が第1のテーブルの第1のインデックス値に対応し、ビームインデックスの前記集合が、選択されたビームの前記集合の選択されたビームの数に等しい数のビームインデックスを備え、
1つまたは複数の追加のテーブルに少なくとも一部基づいて、ビームインデックスの前記集合のうちの1つまたは複数の追加のビームインデックスと関連付けられる追加の値を決定させ、
前記第1の値と前記追加の値のうちの1つまたは複数とを加算させて、合成インデックス値を決定させ、
前記基地局へ、選択されるビームの前記集合を示す前記合成インデックス値を送信させる
ように動作可能である、装置。
【請求項６９】
ワイヤレス通信のための装置であって、
プロセッサと、
前記プロセッサと電子的に通信するメモリと、
前記メモリに記憶された命令とを備え、前記命令が、前記プロセッサによって実行されると、前記装置に、
ユーザ機器(UE)から、選択されるビームの集合を示す合成インデックス値を受信させ、
現在のテーブルおよび前記合成インデックス値に少なくとも一部基づいて、選択されるビームの前記集合のうちの第1の選択されるビームに対する最大のビームインデックスを決定させ、
1つまたは複数の追加のテーブルおよび更新された合成インデックス値に少なくとも一部基づいて、選択されるビームの前記集合のうちの各々の追加の選択されるビームに対する追加のビームインデックスを決定させる
ように動作可能である、装置。
【請求項７０】
ワイヤレス通信のためのコードを記憶する非一時的コンピュータ可読記録媒体であって、前記コードが命令を備え、前記命令が、
基地局に報告するための選択されたビームの集合を特定し、
ビームインデックスの集合のうちの第1のビームインデックスと関連付けられる第1の値を決定し、前記第1の値が第1のテーブルの第1のインデックス値に対応し、ビームインデックスの前記集合が、選択されたビームの前記集合の選択されたビームの数に等しい数のビームインデックスを備え、
1つまたは複数の追加のテーブルに少なくとも一部基づいて、ビームインデックスの前記集合のうちの1つまたは複数の追加のビームインデックスと関連付けられる追加の値を決定し、
前記第1の値と前記追加の値のうちの1つまたは複数とを加算して、合成インデックス値を決定し、
前記基地局へ、選択されるビームの前記集合を示す前記合成インデックス値を送信する
ようにプロセッサによって実行可能である、非一時的コンピュータ可読記録媒体。
【請求項７１】
ワイヤレス通信のためのコードを記憶する非一時的コンピュータ可読記録媒体であって、前記コードが命令を備え、前記命令が、
ユーザ機器(UE)から、選択されるビームの集合を示す合成インデックス値を受信し、
現在のテーブルおよび前記合成インデックス値に少なくとも一部基づいて、選択されるビームの前記集合のうちの第1の選択されるビームに対する最大のビームインデックスを決定し、
1つまたは複数の追加のテーブルおよび更新された合成インデックス値に少なくとも一部基づいて、選択されるビームの前記集合のうちの各々の追加の選択されるビームに対する追加のビームインデックスを決定する
ようにプロセッサによって実行可能である、非一時的コンピュータ可読記録媒体。
【発明の詳細な説明】
【技術分野】
【０００１】
相互参照
本特許出願は、参照によりその全体が本明細書に組み込まれている、2017年8月11日に出願され、本出願の譲受人に譲渡された、「SCALABLE PROCESS FOR INDICATING BEAM SELECTION」と題する、HAOらの国際特許出願PCT/CN2017/097173号の優先権を主張する。
【０００２】
以下は、全般にワイヤレス通信に関し、より詳細には、ビーム選択を示すためのスケーラブルプロセスに関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であることがある。そのような多元接続システムの例には、Long Term Evolution(LTE)システムまたはLTE-Advanced(LTE-A)システムなどの第4世代(4G)システム、およびNew Radio(NR)システムと呼ばれ得る第5世代(5G)システムがある。これらのシステムは、符号分割多元接続(CDMA)、時分割多元接続(TDMA)、周波数分割多元接続(FDMA)、直交周波数分割多元接続(OFDMA)、または離散フーリエ変換-拡散-OFDM(DFT-S-OFDM)などの技術を利用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【０００４】
一部のワイヤレス通信システムは、(たとえば、多入力多出力(MIMO)通信をサポートするために)線形結合コードブックの使用をサポートし得る。MIMO通信は、1つまたは複数のアンテナポートを介した基準信号(たとえば、チャネル状態情報(CSI)基準信号(CSI-RS))の送信に依存し得る。線形結合コードブックは、デバイスが通信のためのビームの線形結合を選択することを可能にし得る。しかしながら、選択されたビームを示すために、デバイスは網羅的なルックアッププロセスを実行することがあり、これはレイテンシを大きく増やすことがある。加えて、デバイスが選択されたビームの指示を決定するためにルックアップテーブルを利用する場合、デバイスは、ビームLと次元N1およびN2の異なる構成に対して別個のルックアップテーブルを記憶しなければならないことがある。これは、メモリストレージのリソースに対する重大な負荷をもたらし得る。
【発明の概要】
【課題を解決するための手段】
【０００５】
説明される技法は、ビーム選択を示すためのスケーラブルプロセスをサポートする、改善された方法、システム、デバイス、または装置に関する。一般に、説明される技法は、メモリに記憶されているテーブルのスケーラブル集合を使用して、選択されるビームの指示を生成することを実現する。多入力多出力(MIMO)送信をサポートするワイヤレスシステムでは、デバイスは、通信の信頼性を改善するためにビームフォーミングを実施し得る。ユーザ機器(UE)は、(たとえば、アンテナポートの数の構成または基地局から受信された基準信号に基づいて)通信のための、ビームの集合と、対応するビームインデックスとを選択し得る。UEは、テーブルのスケーラブル集合を使用して、ビームインデックスの各々に対応する値を決定し得る。たとえば、UEは、選択されたビームの数に基づいてテーブルの部分集合を選択することができ、これらのテーブルに基づいてビームインデックスに対応する値を決定することができる。このようにして、UEは、(たとえば、選択されたビームの数、次元のサイズなどに基づいて)複数の異なる構成に対するテーブルの集合を効率的に記憶し得る。UEは、対応する値を合計して合成インデックス値を取得することができ、合成インデックス値を基地局に送信することができる。基地局は、この合成インデックス値および基地局のメモリに記憶されているテーブルの同様のスケーラブル集合に基づいて、選択されるビームを決定し得る。
【０００６】
ワイヤレス通信の方法が説明される。方法は、基地局に報告するための選択されるビームの集合を特定するステップと、ビームインデックスの集合のうちの第1のビームインデックスと関連付けられる第1の値を決定するステップであって、第1の値が第1のテーブルの第1のインデックス値に対応し、ビームインデックスの集合が選択されるビームの集合の選択されるビームの数に等しい数のビームインデックスを備える、ステップと、1つまたは複数の追加のテーブルに少なくとも一部基づいて、ビームインデックスの集合のうちの1つまたは複数の追加のビームインデックスと関連付けられる追加の値を決定するステップとを含み得る。加えて、方法は、第1の値と追加の値のうちの1つまたは複数とを加算して合成インデックス値を決定するステップと、選択されるビームの集合を示す合成インデックス値を基地局に送信するステップとを含み得る。
【０００７】
ワイヤレス通信のための装置が説明される。装置は、基地局に報告するための選択されるビームの集合を特定するための手段と、ビームインデックスの集合のうちの第1のビームインデックスと関連付けられる第1の値を決定するための手段であって、第1の値が第1のテーブルの第1のインデックス値に対応し、ビームインデックスの集合が選択されるビームの集合の選択されるビームの数に等しい数のビームインデックスを備える、手段と、1つまたは複数の追加のテーブルに少なくとも一部基づいて、ビームインデックスの集合のうちの1つまたは複数の追加のビームインデックスと関連付けられる追加の値を決定するための手段とを含み得る。加えて、装置は、第1の値と追加の値のうちの1つまたは複数とを加算して合成インデックス値を決定するための手段と、選択されるビームの集合を示す合成インデックス値を基地局に送信するための手段とを含み得る。
【０００８】
ワイヤレス通信のための別の装置が説明される。装置は、プロセッサと、プロセッサと電子的に通信しているメモリと、メモリに記憶された命令とを含み得る。命令は、プロセッサに、基地局へ報告するための選択されるビームの集合を特定させ、ビームインデックスの集合のうちの第1のビームインデックスと関連付けられる第1の値を決定させ、第1の値が第1のテーブルの第1のインデックス値に対応し、ビームインデックスの集合が選択されるビームの集合の選択されるビームの数に等しい数のビームインデックスを備え、1つまたは複数の追加のテーブルに少なくとも一部基づいて、ビームインデックスの集合のうちの1つまたは複数の追加のビームインデックスと関連付けられる追加の値を決定させるように動作可能であり得る。加えて、命令は、プロセッサに、第1の値と追加の値のうちの1つまたは複数とを加算させて合成インデックス値を決定させ、選択されるビームの集合を示す合成インデックス値を基地局へ送信させるように動作可能であり得る。
【０００９】
ワイヤレス通信のための非一時的コンピュータ可読記録媒体が説明される。非一時的コンピュータ可読記録媒体は、プロセッサに、基地局へ報告するための選択されるビームの集合を特定させ、ビームインデックスの集合のうちの第1のビームインデックスと関連付けられる第1の値を決定させ、第1の値が第1のテーブルの第1のインデックス値に対応し、ビームインデックスの集合が選択されるビームの集合の選択されるビームの数に等しい数のビームインデックスを備え、1つまたは複数の追加のテーブルに少なくとも一部基づいて、ビームインデックスの集合のうちの1つまたは複数の追加のビームインデックスと関連付けられる追加の値を決定させるように動作可能な命令を含み得る。加えて、命令は、プロセッサに、第1の値と追加の値のうちの1つまたは複数とを加算させて合成インデックス値を決定させ、選択されるビームの集合を示す合成インデックス値を基地局へ送信させるように動作可能であり得る。
【００１０】
上で説明された方法、装置、および非一時的コンピュータ可読記録媒体のいくつかの例はさらに、チャネル状態情報(CSI)を報告するためのコードブックのコードブックタイプの構成を受信するためのプロセス、特徴、手段、または命令を含み得る。上で説明された方法、装置、および非一時的コンピュータ可読記録媒体のいくつかの例はさらに、基地局から、基地局の1つまたは複数のアンテナポートと関連付けられる基準信号の集合を受信し、コードブックタイプおよび/または基準信号の集合もしくは1つまたは複数のアンテナポートのうちの少なくとも1つに少なくとも一部基づいてビームインデックスの集合を特定するためのプロセス、特徴、手段、または命令を含み得る。いくつかの例では、ビームインデックスの特定される集合は、構成されるコードブックタイプがビーム選択コードブックを備える場合はコードブックの符号語インデックスに対応し、または、構成されるコードブックタイプがポート選択コードブックを備える場合はアンテナポートインデックスに対応する。上で説明された方法、装置、および非一時的コンピュータ可読記録媒体のいくつかの例では、基準信号の集合は、ビームフォーミングされた、またはビームフォーミングされていない送信において受信され得る。上で説明された方法、装置、および非一時的コンピュータ可読記録媒体のいくつかの例では、ビーム選択コードブックの各符号語はベースシーケンスの例であることがあり、ビーム選択コードブックは直交ベースシーケンスの1つまたは複数の集合を含むことがある。
【００１１】
上で説明された方法、装置、および非一時的コンピュータ可読記録媒体のいくつかの例では、第1の値は第1のビームインデックスに等しいことがある。上で説明された方法、装置、および非一時的コンピュータ可読記録媒体のいくつかの例では、ビームインデックスの集合のうちの各々の追加のビームインデックスは、以前の追加のビームインデックスに関して昇順で増大する。
【００１２】
上で説明された方法、装置、および非一時的コンピュータ可読記録媒体のいくつかの例では、1つまたは複数の追加のビームインデックスに対する追加の値は、1つまたは複数の追加のテーブルの現在のテーブルに少なくとも一部基づき得る。上で説明された方法、装置、および非一時的コンピュータ可読記録媒体のいくつかの例はさらに、現在のテーブルから、ビームインデックスの集合のうちの追加のビームインデックスと関連付けられる入力値を特定するためのプロセス、特徴、手段、または命令を含むことがあり、追加の値は入力値に等しいことがある。
【００１３】
上で説明された方法、装置、および非一時的コンピュータ可読記録媒体のいくつかの例では、1つまたは複数の追加のビームインデックスに対する追加の値は、1つまたは複数の追加のテーブルの先行するテーブルまたは現在のテーブルに少なくとも一部基づき得る。上で説明された方法、装置、および非一時的コンピュータ可読記録媒体のいくつかの例はさらに、ビームインデックスの集合のうちの追加のビームインデックスより1小さいことがある先行するビームインデックスを特定するためのプロセス、特徴、手段、または命令を含み得る。上で説明された方法、装置、および非一時的コンピュータ可読記録媒体のいくつかの例はさらに、先行するテーブルから、先行するビームインデックスと関連付けられる第1の入力値を特定するためのプロセス、特徴、手段、または命令を含み得る。上で説明された方法、装置、および非一時的コンピュータ可読記録媒体のいくつかの例はさらに、現在のテーブルから、先行するビームインデックスと関連付けられる第2の入力値を特定するためのプロセス、特徴、手段、または命令を含み得る。上で説明された方法、装置、および非一時的コンピュータ可読記録媒体のいくつかの例はさらに、第1の入力値と第2の入力値を加算して追加のビームインデックスに対する追加の値を取得するためのプロセス、特徴、手段、または命令を含み得る。
【００１４】
上で説明された方法、装置、および非一時的コンピュータ可読記録媒体のいくつかの例では、1つまたは複数の追加のテーブルの各々に記憶されている値の集合は、第1のテーブルの先行するテーブルまたは1つまたは複数の追加のテーブルに記憶されている値の先行する集合に少なくとも一部基づき得る。上で説明された方法、装置、および非一時的コンピュータ可読記録媒体のいくつかの例では、値の集合のうちのある値は、値の集合のうちの先行する値と値の先行する集合のうちの先行するテーブル値の合計であることがあり、先行する値および先行するテーブル値は同じビームインデックスと関連付けられることがある。
【００１５】
上で説明された方法、装置、および非一時的コンピュータ可読記録媒体のいくつかの例では、第1のテーブルおよび1つまたは複数の追加のテーブルの各テーブルは同じ長さを有することがあり、各テーブルに対するアクティブなエントリの数は、アンテナポートの構成される数、ビームの構成される数、またはこれらの組合せに少なくとも一部基づき得る。
【００１６】
上で説明された方法、装置、および非一時的コンピュータ可読記録媒体のいくつかの例はさらに、アンテナポートの第1の構成される数、ビームの構成される数、またはこれらの組合せを示す第1の構成を基地局から受信するためのプロセス、特徴、手段、または命令を含み得る。上で説明された方法、装置、および非一時的コンピュータ可読記録媒体のいくつかの例はさらに、アンテナポートの第1の構成される数、ビームの構成される数、またはこれらの組合せに少なくとも一部基づいて、第1のテーブルおよび1つまたは複数の追加のテーブルの各テーブルに対するアクティブなエントリの第1の集合を選択するためのプロセス、特徴、手段、または命令を含み得る。上で説明された方法、装置、および非一時的コンピュータ可読記録媒体のいくつかの例はさらに、アンテナポートの第2の構成される数、ビームの構成される数、またはこれらの組合せを示す第2の構成を基地局から受信するためのプロセス、特徴、手段、または命令を含むことがあり、アンテナポートの第2の構成される数、ビームの構成される数、またはこれらの組合せは、アンテナポートの第1の構成される数、ビームの構成される数、またはこれらの組合せより大きいことがある。上で説明された方法、装置、および非一時的コンピュータ可読記録媒体のいくつかの例はさらに、アンテナポートの第2の構成される数、ビームの構成される数、またはこれらの組合せに少なくとも一部基づいて、第1のテーブルおよび1つまたは複数の追加のテーブルの各テーブルに対するアクティブなエントリの第2の集合を選択するためのプロセス、特徴、手段、または命令を含むことがあり、アクティブなエントリの第1の集合はアクティブなエントリの第2の集合の部分集合であることがある。
【００１７】
上で説明された方法、装置、および非一時的コンピュータ可読記録媒体のいくつかの例では、アクティブなエントリの数は、チャネル状態情報基準信号(CSI-RS)を送信するアンテナポートの構成される数、ビームの構成される数、またはこれらの組合せに少なくとも一部基づき得る。
【００１８】
上で説明された方法、装置、および非一時的コンピュータ可読記録媒体のいくつかの例はさらに、選択のためのビームの構成される数を示す構成を基地局から受信することであって、選択されるビームの数が選択のためのビームの構成される数に等しい、受信することと、選択のためのビームの構成される数に少なくとも一部基づいてビームインデックスの集合を選択することとのためのプロセス、特徴、手段、または命令を含み得る。上で説明された方法、装置、および非一時的コンピュータ可読記録媒体のいくつかの例では、選択のためのビームの構成される数は、アンテナポートの数の構成に少なくとも一部基づく。
【００１９】
上で説明された方法、装置、および非一時的コンピュータ可読記録媒体のいくつかの例はさらに、選択のためのビームの構成される数を示す第1の構成を基地局から受信するためのプロセス、特徴、手段、または命令を含み得る。上で説明された方法、装置、および非一時的コンピュータ可読記録媒体のいくつかの例はさらに、選択のためのビームの構成される数に等しい数のテーブルを備えるテーブルの第1の集合を選択するためのプロセス、特徴、手段、または命令を含むことがあり、第1の値および1つまたは複数の追加の値を決定することは、テーブルの第1の集合に少なくとも一部基づくことがある。上で説明された方法、装置、および非一時的コンピュータ可読記録媒体のいくつかの例はさらに、選択のためのビームの構成される数より大きいことがある選択のためのビームの第2の構成される数を示す第2の構成を基地局から受信するためのプロセス、特徴、手段、または命令を含み得る。上で説明された方法、装置、および非一時的コンピュータ可読記録媒体のいくつかの例はさらに、選択のためのビームの第2の構成される数に等しい第2の数のテーブルを備えるテーブルの第2の集合を選択するためのプロセス、特徴、手段、または命令を含むことがあり、テーブルの第1の集合はテーブルの第2の集合の部分集合であることがある。
【００２０】
上で説明された方法、装置、および非一時的コンピュータ可読記録媒体のいくつかの例はさらに、ビームインデックスの集合のうちのあるビームインデックスを特定するためのプロセス、特徴、手段、または命令を含み得る。上で説明された方法、装置、および非一時的コンピュータ可読記録媒体のいくつかの例では、ビームインデックスの集合のうちのそのビームインデックスを特定することは、第1の次元に対応する第1のサブビームインデックスを特定することを備える。上で説明された方法、装置、および非一時的コンピュータ可読記録媒体のいくつかの例はさらに、第2の次元に対応する第2のサブビームインデックスを特定するためのプロセス、特徴、手段、または命令を含み得る。上で説明された方法、装置、および非一時的コンピュータ可読記録媒体のいくつかの例はさらに、第1のサブビームインデックスおよび第2のサブビームインデックスに少なくとも一部基づいてビームインデックスを計算するためのプロセス、特徴、手段、または命令を含み得る。
【００２１】
上で説明された方法、装置、および非一時的コンピュータ可読記録媒体のいくつかの例では、ビームインデックスを計算することはさらに、第1のサブビームインデックスを第2の次元のサイズと乗じて中間値を取得することを備える。上で説明された方法、装置、および非一時的コンピュータ可読記録媒体のいくつかの例はさらに、第2のサブビームインデックスを中間値に加算してビームインデックスを取得するためのプロセス、特徴、手段、または命令を含み得る。
【００２２】
上で説明された方法、装置、および非一時的コンピュータ可読記録媒体のいくつかの例はさらに、基準信号の集合に少なくとも一部基づいてコードブックから1つまたは複数のビームを選択するためのプロセス、特徴、手段、または命令を含むことがあり、ビームインデックスの集合を特定することは選択された1つまたは複数のビームに少なくとも一部基づくことがある。上で説明された方法、装置、および非一時的コンピュータ可読記録媒体のいくつかの例では、選択のために使用されるコードブックは、アンテナポートの数の構成に少なくとも一部基づき得る。
【００２３】
ワイヤレス通信の方法が説明される。方法は、選択されるビームの集合を示す合成インデックス値をUEから受信するステップと、現在のテーブルおよび合成インデックス値に少なくとも一部基づいて選択されるビームの集合のうちの第1の選択されるビームに対する最大のビームインデックスを決定するステップと、1つまたは複数の追加のテーブルおよび更新された合成インデックス値に少なくとも一部基づいて、選択されるビームの集合のうちの各々の追加の選択されるビームに対する追加のビームインデックスを決定するステップとを含み得る。
【００２４】
ワイヤレス通信のための装置が説明される。装置は、選択されるビームの集合を示す合成インデックス値をUEから受信するための手段と、現在のテーブルおよび合成インデックス値に少なくとも一部基づいて選択されるビームの集合のうちの第1の選択されるビームに対する最大のビームインデックスを決定するための手段と、1つまたは複数の追加のテーブルおよび更新された合成インデックス値に少なくとも一部基づいて、選択されるビームの集合のうちの各々の追加の選択されるビームに対する追加のビームインデックスを決定するための手段とを含み得る。
【００２５】
ワイヤレス通信のための別の装置が説明される。装置は、プロセッサと、プロセッサと電子的に通信しているメモリと、メモリに記憶された命令とを含み得る。命令は、プロセッサに、選択されるビームの集合を示す合成インデックス値をUEから受信させ、現在のテーブルおよび合成インデックス値に少なくとも一部基づいて選択されるビームの集合のうちの第1の選択されるビームに対する最大のビームインデックスを決定させ、1つまたは複数の追加のテーブルおよび更新された合成インデックス値に少なくとも一部基づいて、選択されるビームの集合のうちの各々の追加の選択されるビームに対する追加のビームインデックスを決定させるように動作可能であり得る。
【００２６】
ワイヤレス通信のための非一時的コンピュータ可読記録媒体が説明される。非一時的コンピュータ可読記録媒体は、プロセッサに、選択されるビームの集合を示す合成インデックス値をUEから受信させ、現在のテーブルおよび合成インデックス値に少なくとも一部基づいて選択されるビームの集合のうちの第1の選択されるビームに対する最大のビームインデックスを決定させ、1つまたは複数の追加のテーブルおよび更新された合成インデックス値に少なくとも一部基づいて、選択されるビームの集合のうちの各々の追加の選択されるビームに対する追加のビームインデックスを決定させるように動作可能な命令を含み得る。
【００２７】
上で説明された方法、装置、および非一時的コンピュータ可読記録媒体のいくつかの例はさらに、CSI報告のためのコードブックのコードブックタイプの構成をUEに送信するためのプロセス、特徴、手段、または命令を含み得る。上で説明された方法、装置、および非一時的コンピュータ可読記録媒体のいくつかの例はさらに、1つまたは複数のアンテナポートと関連付けられる基準信号の集合をUEに送信するためのプロセス、特徴、手段、または命令を含み得る。上で説明された方法、装置、および非一時的コンピュータ可読記録媒体のいくつかの例では、基準信号の集合は、ビームフォーミングされた、またはビームフォーミングされていない送信において送信され得る。
【００２８】
上で説明された方法、装置、および非一時的コンピュータ可読記録媒体のいくつかの例では、選択されるビームの集合のうちの各々の追加の選択されるビームに対する最大のビームインデックスおよび追加のビームインデックスは、構成されるコードブックタイプがビーム選択コードブックを備える場合はコードブックの符号語インデックスに対応し、または、構成されるコードブックタイプがポート選択コードブックを備える場合はアンテナポートインデックスに対応する。上で説明された方法、装置、および非一時的コンピュータ可読記録媒体のいくつかの例では、ビーム選択コードブックの各符号語はベースの例であることがあり、ビーム選択コードブックは直交ベースの1つまたは複数の集合を含む。
【００２９】
上で説明された方法、装置、および非一時的コンピュータ可読記録媒体のいくつかの例では、各々の追加のビームインデックスは、以前の追加のビームインデックスに関して降順で減少する。
【００３０】
上で説明された方法、装置、および非一時的コンピュータ可読記録媒体のいくつかの例では、第1の選択されるビームに対する最大のビームインデックスを決定することはさらに、合成インデックス値以下であり得る現在のテーブルの最大の値を特定することを備え、最大のビームインデックスは、特定された最大の値に対応するインデックスに設定され得る。上で説明された方法、装置、および非一時的コンピュータ可読記録媒体のいくつかの例はさらに、特定された最大の値を合成インデックス値から差し引くことによって合成インデックス値を更新するためのプロセス、特徴、手段、または命令を含み得る。
【００３１】
上で説明された方法、装置、および非一時的コンピュータ可読記録媒体のいくつかの例では、各々の追加の選択されるビームに対する追加のビームインデックスを決定することは、更新される合成インデックス値以下であり得る1つまたは複数の追加のテーブルの次のテーブルの追加の最大の値を特定することを備え、追加のビームインデックスは、特定された追加の最大の値に対応する追加のインデックスに設定され得る。上で説明された方法、装置、および非一時的コンピュータ可読記録媒体のいくつかの例はさらに、特定された追加の最大の値を更新される合成インデックス値から差し引くことによって、更新される合成インデックス値を更新するためのプロセス、特徴、手段、または命令を含み得る。
【００３２】
上で説明された方法、装置、および非一時的コンピュータ可読記録媒体のいくつかの例では、選択されるビームの集合のうちの最後の選択されるビームに対する最小のビームインデックスは、最後の更新される合成インデックス値に等しいことがある。
【００３３】
上で説明された方法、装置、および非一時的コンピュータ可読記録媒体のいくつかの例では、現在のテーブルおよび1つまたは複数の追加のテーブルは、メモリに記憶されているテーブルの集合から選択され得る。上で説明された方法、装置、および非一時的コンピュータ可読記録媒体のいくつかの例では、テーブルの集合は第1のテーブルおよび1つまたは複数の後続のテーブルを備え、1つまたは複数の後続のテーブルの各々に記憶されている値の集合は、テーブルの集合の先行するテーブルに記憶されている値の先行する集合に少なくとも一部基づき得る。上で説明された方法、装置、および非一時的コンピュータ可読記録媒体のいくつかの例では、値の集合のうちのある値は、値の集合のうちの先行する値と値の先行する集合のうちの先行するテーブル値の合計であることがあり、先行する値および先行するテーブル値は同じビームインデックスと関連付けられることがある。
【００３４】
上で説明された方法、装置、および非一時的コンピュータ可読記録媒体のいくつかの例はさらに、選択されるビームの集合の数に等しい数のテーブルを備えるテーブルの第1の集合を選択するためのプロセス、特徴、手段、または命令を含むことがあり、各々の追加の選択されるビームに対する最大のビームインデックスおよび追加のビームインデックスを決定することは、テーブルの第1の集合に少なくとも一部基づくことがある。上で説明された方法、装置、および非一時的コンピュータ可読記録媒体のいくつかの例はさらに、選択されるビームの第2の集合を示す第2の合成インデックス値をUEから受信するためのプロセス、特徴、手段、または命令を含むことがあり、選択されるビームの第2の集合の数は選択されるビームの集合の数より多いことがある。上で説明された方法、装置、および非一時的コンピュータ可読記録媒体のいくつかの例はさらに、選択されるビームの第2の集合の数に等しい第2の数のテーブルを備えるテーブルの第2の集合を選択するためのプロセス、特徴、手段、または命令を含むことがあり、テーブルの第1の集合はテーブルの第2の集合の部分集合であることがある。
【００３５】
上で説明された方法、装置、および非一時的コンピュータ可読記録媒体のいくつかの例では、メモリに記憶されているテーブルの集合の各テーブルは同じ長さを備え、各テーブルに対するアクティブなエントリの数は、アンテナポートの構成される数、ビームの構成される数、またはこれらの組合せに少なくとも一部基づき得る。
【００３６】
上で説明された方法、装置、および非一時的コンピュータ可読記録媒体のいくつかの例はさらに、アンテナポートの第1の構成される数、ビームの構成される数、またはこれらの組合せを特定するためのプロセス、特徴、手段、または命令を含み得る。上で説明された方法、装置、および非一時的コンピュータ可読記録媒体のいくつかの例はさらに、アンテナポートの第1の構成される数、ビームの構成される数、またはこれらの組合せに少なくとも一部基づいて、メモリに記憶されているテーブルの集合の各テーブルに対するアクティブなエントリの第1の集合を選択するためのプロセス、特徴、手段、または命令を含み得る。上で説明された方法、装置、および非一時的コンピュータ可読記録媒体のいくつかの例はさらに、アンテナポートの第2の構成される数、ビームの構成される数、またはこれらの組合せを特定するためのプロセス、特徴、手段、または命令を含むことがあり、アンテナポートの第2の構成される数、ビームの構成される数、またはこれらの組合せは、アンテナポートの第1の構成される数、ビームの構成される数、またはこれらの組合せより大きいことがある。上で説明された方法、装置、および非一時的コンピュータ可読記録媒体のいくつかの例はさらに、アンテナポートの第2の構成される数、ビームの構成される数、またはこれらの組合せに少なくとも一部基づいて、テーブルの集合の各テーブルに対するアクティブなエントリの第2の集合を選択するためのプロセス、特徴、手段、または命令を含むことがあり、アクティブなエントリの第1の集合はアクティブなエントリの第2の集合の部分集合であることがある。
【００３７】
上で説明された方法、装置、および非一時的コンピュータ可読記録媒体のいくつかの例では、メモリに記憶されているテーブルの集合の各テーブルは、CSI-RSを送信するアンテナポートの構成される数、ビームの構成される数、またはこれらの組合せに少なくとも一部基づく数のアクティブなエントリを備える。
【００３８】
上で説明された方法、装置、および非一時的コンピュータ可読記録媒体のいくつかの例はさらに、あるビームインデックスに対して、第1の次元に対応する第1のサブビームインデックスおよび第2の次元に対応する第2のサブビームインデックスを計算するためのプロセス、特徴、手段、または命令を含み得る。上で説明された方法、装置、および非一時的コンピュータ可読記録媒体のいくつかの例では、第1のサブビームインデックスを計算することは、ビームインデックスを第2の次元のサイズで割って中間値を取得するステップを備える。上で説明された方法、装置、および非一時的コンピュータ可読記録媒体のいくつかの例はさらに、中間値を最も近い整数へと切り下げて第1のサブビームインデックスを取得するためのプロセス、特徴、手段、または命令を含み得る。上で説明された方法、装置、および非一時的コンピュータ可読記録媒体のいくつかの例では、第2のサブビームインデックスを計算することは、ビームインデックスを第2の次元のサイズで割って第2のサブビームインデックスを取得することを備え、第2のサブビームインデックスはこの除算の剰余であり得る。
【００３９】
上で説明された方法、装置、および非一時的コンピュータ可読記録媒体のいくつかの例はさらに、コードブックおよび最大のビームインデックスおよび各々の追加のビームインデックスに少なくとも一部基づいて、選択されるビームの集合を特定するためのプロセス、特徴、手段、または命令を含み得る。上で説明された方法、装置、および非一時的コンピュータ可読記録媒体のいくつかの例では、特定のために使用されるコードブックは、アンテナポートの数の構成に少なくとも一部基づき得る。
【図面の簡単な説明】
【００４０】
【図１】本開示の態様による、ビーム選択を示すためのスケーラブルプロセスをサポートするワイヤレス通信のためのシステムの例を示す図である。
【図２】本開示の態様による、ビーム選択を示すためのスケーラブルプロセスをサポートするワイヤレス通信システムの例を示す図である。
【図３】本開示の態様による、ビーム選択を示すためのスケーラブルプロセスをサポートするスケーラブルテーブルの集合の例を示す図である。
【図４】本開示の態様による、ビーム選択を示すためのスケーラブルプロセスをサポートするプロセスフローの例を示す図である。
【図５】本開示の態様による、ビーム選択を示すためのスケーラブルプロセスをサポートするユーザ機器(UE)プロセスの例を示す図である。
【図６】本開示の態様による、ビーム選択を示すためのスケーラブルプロセスをサポートする基地局プロセスの例を示す図である。
【図７】本開示の態様による、ビーム選択を示すためのスケーラブルプロセスをサポートするデバイスのブロック図である。
【図８】本開示の態様による、ビーム選択を示すためのスケーラブルプロセスをサポートするデバイスのブロック図である。
【図９】本開示の態様による、ビーム選択を示すためのスケーラブルプロセスをサポートするデバイスのブロック図である。
【図１０】本開示の態様による、ビーム選択を示すためのスケーラブルプロセスをサポートするUEを含むシステムのブロック図である。
【図１１】本開示の態様による、ビーム選択を示すためのスケーラブルプロセスをサポートするデバイスのブロック図である。
【図１２】本開示の態様による、ビーム選択を示すためのスケーラブルプロセスをサポートするデバイスのブロック図である。
【図１３】本開示の態様による、ビーム選択を示すためのスケーラブルプロセスをサポートするデバイスのブロック図である。
【図１４】本開示の態様による、ビーム選択を示すためのスケーラブルプロセスをサポートする基地局を含むシステムのブロック図である。
【図１５】本開示の態様による、ビーム選択を示すためのスケーラブルプロセスのための方法を示す図である。
【図１６】本開示の態様による、ビーム選択を示すためのスケーラブルプロセスのための方法を示す図である。
【図１７】本開示の態様による、ビーム選択を示すためのスケーラブルプロセスのための方法を示す図である。
【図１８】本開示の態様による、ビーム選択を示すためのスケーラブルプロセスのための方法を示す図である。
【図１９】本開示の態様による、ビーム選択を示すためのスケーラブルプロセスのための方法を示す図である。
【図２０】本開示の態様による、ビーム選択を示すためのスケーラブルプロセスのための方法を示す図である。
【図２１】本開示の態様による、ビーム選択を示すためのスケーラブルプロセスのための方法を示す図である。
【図２２】本開示の態様による、ビーム選択を示すためのスケーラブルプロセスのための方法を示す図である。
【発明を実施するための形態】
【００４１】
一部のワイヤレスシステム(たとえば、new radio(NR)システム)では、ワイヤレスデバイスは、多入力多出力(MIMO)送信をサポートし得る。MIMO送信は、信号が受信デバイスのアンテナ素子においてコヒーレントに組み合わさるような送信デバイスのアンテナ素子からの信号の送信を指すことがあり、これは受信ダイバーシティと呼ばれることがある。そのような送信は、通信の信頼性を向上させることができる(たとえば、信号対雑音比(SNR)を上げる、ブロックエラーレートを下げることなどができる)。いくつかの場合、MIMO動作はビームフォーミングを利用することがあり、これは、アンテナビームを成形するために使用され得る信号処理技法である。ビームフォーミングは、アンテナアレイに関して特定の向きに伝播する信号が強め合う干渉を受ける一方で、他の信号が弱め合う干渉を受けるように、アンテナアレイのアンテナ素子を組み合わせることによって達成され得る。
【００４２】
MIMO送信およびビームフォーミングをサポートするために、基地局は、1つまたは複数のアンテナポートを使用して、チャネル推定のために基準信号をユーザ機器(UE)に送信し得る。UEは、アンテナポートの構成に基づいて、または受信された基準信号に基づいて、通信のためのビームの集合を選択し得る。選択されたビームを基地局に示すために、UEはビーム選択指示プロセスを実施し得る。UEは、選択されたビームに基づいてビームインデックスを決定することができ、昇順でビームインデックスを並べることができる。UEは、UEのメモリに記憶されているスケーラブルテーブルの集合からテーブルの部分集合を選択することができる。たとえば、UEは、スケーラブルテーブルの集合の最初のL個のテーブルを選択することができ、ここでLはMIMO送信のために選択されるビームの数である。加えて、UEは、選択されたテーブル内のアクティブなエントリの部分集合を使用して、ビームインデックスの各々に対応する値を決定することができる。UEは、対応する値の選択されたテーブルを検索することができ、値を合計して合成インデックス値を取得することができる。UEは、選択されたビームを示すために、この合成インデックス値を基地局に送信することができる。
【００４３】
基地局は、合成インデックス値を受信することができ、この合成インデックス値に基づいて選択されたビームを決定することができる。たとえば、基地局はまた、基地局のメモリに記憶されているスケーラブルテーブルの対応する集合からテーブルおよびエントリの部分集合を選択することができる。基地局は、テーブルの選択された部分集合を使用することによって、合成インデックス値によって示される各ビームインデックスを降順で繰り返し決定することができる。基地局は次いで、ビームインデックスに対応するビームを(たとえば、コードブックを使用して)決定することができる。テーブルのスケーラブル集合は、UEおよび基地局が、(たとえば、選択されたビームの数、次元のサイズなどに基づいて)複数の異なる構成に対するテーブルを効率的に記憶することを可能にし得る。加えて、テーブルのスケーラブル集合は、合成インデックス値を生成することと関連付けられるレイテンシを改善することができる。
【００４４】
本開示の態様は最初に、ワイヤレス通信システムの文脈で説明される。本開示の態様は次いで、テーブルのスケーラブル集合およびプロセスフローに関して提示される。本開示の態様はさらに、ビーム選択を示すためのスケーラブルプロセスに関する装置図、システム図、およびフローチャートによってさらに示され、それらを参照して説明される。
【００４５】
図1は、本開示の様々な態様による、ワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)ネットワーク、LTE-Advanced(LTE-A)ネットワーク、またはNRネットワークであり得る。場合によっては、ワイヤレス通信システム100は、拡張ブロードバンド通信、超高信頼(たとえば、ミッションクリティカル)通信、低レイテンシ通信、または低コストで低複雑度のデバイスを用いた通信をサポートし得る。いくつかの場合、基地局105は1つまたは複数の基準信号をUE115に送信することができ、UE115は、基準信号に基づいてビームの集合を選択することができる。UE115は、合成インデックス値を使用してビームの選択された集合を基地局105に示すことができ、合成インデックス値はテーブルのスケーラブル集合を使用して効率的に決定され得る。
【００４６】
基地局105は、1つまたは複数の基地局アンテナを介してUE115とワイヤレスに通信し得る。本明細書で説明される基地局105は、基地トランシーバ局、無線基地局、アクセスポイント、無線トランシーバ、NodeB、eNodeB(eNB)、次世代NodeBもしくはギガnodeB(そのいずれもgNBと呼ばれることがある)、ホームNodeB、ホームeNodeB、または何らかの他の好適な用語を含むことがあり、またはそのように当業者によって呼ばれることがある。ワイヤレス通信システム100は、異なるタイプの基地局105(たとえば、マクロ基地局またはスモールセル基地局)を含み得る。本明細書で説明されるUE115は、マクロeNB、スモールセルeNB、gNB、リレー基地局などを含む、様々なタイプの基地局105およびネットワーク機器と通信することが可能であり得る。
【００４７】
各基地局105は、様々なUE115との通信がサポートされる特定の地理的カバレッジエリア110と関連付けられ得る。各基地局105は、通信リンク125を介してそれぞれの地理的カバレッジエリア110に対する通信カバレッジを提供することができ、基地局105とUE115との間の通信リンク125は、1つまたは複数のキャリアを利用することができる。ワイヤレス通信システム100に示される通信リンク125は、UE115から基地局105へのアップリンク送信、または基地局105からUE115へのダウンリンク送信を含み得る。ダウンリンク送信は、順方向リンク送信と呼ばれることもあり、アップリンク送信は、逆方向リンク送信と呼ばれることもある。
【００４８】
基地局105の地理的カバレッジエリア110は、地理的カバレッジエリア110の一部分のみを構成するセクタに分割されることがあり、各セクタはセルと関連付けられることがある。たとえば、各基地局105は、マクロセル、スモールセル、ホットスポット、もしくは他のタイプのセル、またはそれらの様々な組合せに通信カバレッジを提供し得る。いくつかの例では、基地局105は、移動可能であり得るので、移動する地理的カバレッジエリア110に通信カバレッジを提供することができる。いくつかの例では、異なる技術と関連付けられる異なる地理的カバレッジエリア110は、重複することがあり、異なる技術と関連付けられる重複する地理的カバレッジエリア110は、同じ基地局105によって、または異なる基地局105によってサポートされ得る。ワイヤレス通信システム100は、たとえば、異なるタイプの基地局105が様々な地理的カバレッジエリア110に対するカバレッジを提供する異種LTE/LTE-AネットワークまたはNRネットワークを含み得る。
【００４９】
「セル」という用語は、(たとえば、キャリアを介した)基地局105との通信のために使用される論理通信エンティティを指し、同じまたは異なるキャリアを介して動作する近隣セルを区別するための識別子(たとえば、物理セル識別子(PCID)、仮想セル識別子(VCID))と関連付けられ得る。いくつかの例では、キャリアは、複数のセルをサポートすることができ、異なるセルは、異なるタイプのデバイスにアクセスを提供し得る異なるプロトコルタイプ(たとえば、マシンタイプ通信(MTC)、狭帯域Internet-of-Things(NB-IoT)、拡張型モバイルブロードバンド(eMBB)、またはその他)に従って構成され得る。いくつかの場合、「セル」という用語は、それを介して論理エンティティが動作する地理的カバレッジエリア110(たとえば、セクタ)の一部分を指すことがある。
【００５０】
UE115は、ワイヤレス通信システム100の全体にわたって分散していることがあり、各UE115は、固定式または移動式であり得る。UE115は、モバイルデバイス、ワイヤレスデバイス、リモートデバイス、ハンドヘルドデバイス、または加入者デバイス、または何らかの他の適切な用語で呼ばれることもあり、ここで「デバイス」は、ユニット、局、端末、またはクライアントと呼ばれることもある。UE115は、携帯電話、携帯情報端末(PDA)、タブレットコンピュータ、ラップトップコンピュータ、またはパーソナルコンピュータなどの個人用電子デバイスでもあり得る。いくつかの例では、UE115は、ワイヤレスローカルループ(WLL)局、Internet of Things(IoT)デバイス、Internet of Everything(IoE)デバイス、またはMTCデバイスなどを指すこともあり、これらは、家電機器、車両、メーターなどの様々な物品において実装され得る。
【００５１】
MTCデバイスまたはIoTデバイスなどのいくつかのUE115は、低コストまたは低複雑度のデバイスであることがあり、機械間の自動化された通信(たとえば、マシンツーマシン(M2M)通信を介した)を可能にし得る。M2M通信またはMTCは、人が介在することなく、デバイスが互いにまたは基地局105と通信することを可能するデータ通信技術を指すことがある。いくつかの例では、M2M通信またはMTCは、センサーまたはメーターを組み込んで情報を測定または捕捉し、その情報を利用することができる中央サーバまたはアプリケーションプログラムにその情報を中継するか、またはプログラムもしくはアプリケーションと対話する人に情報を提示するデバイスからの通信を含み得る。一部のUE115は、情報を収集し、または機械の自動化された挙動を可能にするように設計され得る。MTCデバイスの用途の例は、スマートメータリング、在庫モニタリング、水位モニタリング、機器モニタリング、医療モニタリング、野生生物モニタリング、天候および地質学的事象モニタリング、船団管理および追跡、リモートセキュリティ感知、物理的アクセス制御、ならびにトランザクションベースのビジネス課金を含む。
【００５２】
一部のUE115は、半二重通信(たとえば、送信または受信を介した一方向の通信をサポートするが、同時の送信および受信をサポートしないモード)などの、電力消費を減らす動作モードを利用するように構成され得る。いくつかの例では、半二重通信は低減されたピークレートで実行され得る。UE115のための他の電力節約技法は、アクティブな通信に関わっていないときに電力を節約する「ディープスリープ」モードに入ること、または(たとえば、狭帯域通信に従って)限られた帯域幅にわたって動作することを含む。いくつかの場合、UE115は重要な機能(たとえば、ミッションクリティカル機能)をサポートするように設計されることがあり、ワイヤレス通信システム100はこれらの機能のために超高信頼性通信を提供するように構成されることがある。
【００５３】
いくつかの場合、UE115はまた、(たとえば、ピアツーピア(P2P)またはデバイスツーデバイス(D2D)プロトコルを使用して)他のUE115と直接通信することが可能であり得る。D2D通信を利用するUE115のグループのうちの1つまたは複数は、基地局105の地理的カバレッジエリア110内にあり得る。そのようなグループの中の他のUE115は、基地局105の地理的カバレッジエリア110の外にあるか、または別様に基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105は、D2D通信のためのリソースのスケジューリングを促進する。他の場合は、D2D通信は、基地局105の関与を伴わずにUE115間で実行される。
【００５４】
基地局105は、コアネットワーク130および互いと通信し得る。たとえば、基地局105は、バックホールリンク132を通じて(たとえば、S1または他のインターフェースを介して)コアネットワーク130とインターフェースし得る。基地局105は、バックホールリンク134を介して(たとえば、X2または他のインターフェースを介して)、直接(たとえば、基地局105間で直接)または間接的に(たとえば、コアネットワーク130を介して)のいずれかで互いと通信し得る。
【００５５】
コアネットワーク130は、ユーザ認証、アクセス許可、追跡、インターネットプロトコル(IP)接続、および他のアクセス機能、ルーティング機能、またはモビリティ機能を提供し得る。コアネットワーク130は、evolved packet core(EPC)であってよく、EPCは、少なくとも1つのモビリティ管理エンティティ(MME)、少なくとも1つのサービングゲートウェイ(S-GW)、および少なくとも1つのパケットデータネットワーク(PDN)ゲートウェイ(P-GW)を含み得る。MMEは、EPCと関連付けられる基地局105によってサービスされるUE115に対するモビリティ、認証、およびベアラ管理などの、非アクセス層(たとえば、制御プレーン)機能を管理することができる。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００５６】
基地局105などのネットワークデバイスのうちの少なくともいくつかは、アクセスネットワークエンティティなどの下位構成要素を含むことがあり、アクセスネットワークエンティティは、アクセスノードコントローラ(ANC)の例であることがある。各アクセスネットワークエンティティは、無線ヘッド、スマート無線ヘッド、または送信/受信ポイント(TRP)と呼ばれ得る、いくつかの他のアクセスネットワーク送信エンティティを通じてUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されることがあり、または単一のネットワークデバイス(たとえば、基地局105)の中に統合されることがある。
【００５７】
ワイヤレス通信システム100は、通常300MHzから300GHzの範囲にある、1つまたは複数の周波数帯域を使用して動作し得る。一般に、300MHzから3GHzの領域は、超高周波(UHF)領域またはデシメートル帯域として知られているが、これは、波長の長さが、およそ1デシメートルから1メートルに及ぶからである。UHF波は、建物および環境特性によって遮蔽され、または方向が変えられ得る。しかしながら、これらの波は、マクロセルが屋内に位置するUE115にサービスを提供するのに十分に構造を貫通し得る。UHF波の送信は、300MHz以下のスペクトルの高周波(HF)部分または超高周波(VHF:very high frequency)部分のより低い周波数およびより長い波を使用する送信と比較して、より小型のアンテナおよびより短い距離(たとえば、100km未満)と関連付けられ得る。
【００５８】
ワイヤレス通信システム100はまた、センチメートル帯域とも呼ばれる、3GHzから30GHzまでの周波数帯域を使用する超高周波(SHF)領域において動作し得る。SHF領域は、他のユーザからの干渉を許容し得るデバイスによって機会主義的に使用され得る5GHz産業科学医療(ISM)帯域などの帯域を含む。
【００５９】
ワイヤレス通信システム100は、ミリメートル帯域としても知られている、(たとえば、30GHzから300GHzの)スペクトルの極高周波(EHF:extremely high frequency)領域において動作することもできる。いくつかの例では、ワイヤレス通信システム100は、UE115と基地局105との間のミリメートル波(mmW)通信をサポートすることができ、それぞれのデバイスのEHFアンテナは、UHFアンテナよりも、さらに小さく、より間隔が密であり得る。いくつかの場合、これは、UE115内のアンテナアレイの使用を容易にし得る。しかしながら、EHF送信の伝播は、SHF送信またはUHF送信よりもさらに大気減衰が大きく、距離が短いことがある。本明細書で開示される技法は、1つまたは複数の異なる周波数領域を使用する送信にわたって利用されることがあり、これらの周波数領域にわたる帯域の指定された使用は、国ごとにまたは規制団体ごとに異なることがある。
【００６０】
いくつかの場合、ワイヤレス通信システム100は、免許無線周波数スペクトル帯域と免許不要無線周波数スペクトル帯域の両方を利用し得る。たとえば、ワイヤレス通信システム100は、5GHz ISM帯域などの免許不要帯域において、License Assisted Access(LAA)、もしくはLTE-Unlicensed(LTE-U)無線アクセス技術、またはNR技術を利用し得る。免許不要無線周波数スペクトル帯域において動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域(たとえば、LAA)において動作するCCと連携したCA構成に基づき得る。免許不要スペクトルにおける動作は、ダウンリンク送信、アップリンク送信、ピアツーピア送信、またはこれらの組合せを含み得る。免許不要スペクトルにおける複信は、周波数分割複信(FDD)、時分割複信(TDD)、またはその両方の組合せに基づき得る。
【００６１】
いくつかの例では、基地局105またはUE115は複数のアンテナを装備することがあり、複数のアンテナは、送信ダイバーシティ、受信ダイバーシティ、MIMO通信、またはビームフォーミングなどの技術を利用するために使用されることがある。たとえば、ワイヤレス通信システムは、送信デバイス(たとえば、基地局105)と受信デバイス(たとえば、UE115)との間である送信方式を使用することができ、ここで、送信デバイスは、複数のアンテナを装備し、受信デバイスは、1つまたは複数のアンテナを装備する。MIMO通信は、空間多重化と呼ばれることがある、異なる空間レイヤを介して複数の信号を送信または受信することによってスペクトル効率を高めるためにマルチパス信号伝搬を利用することができる。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコード語)または異なるデータストリームと関連付けられるビットを搬送し得る。異なる空間レイヤは、チャネル測定および報告のために使用される異なるアンテナポートと関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００６２】
空間フィルタリング、指向性送信、または指向性受信とも呼ばれ得るビームフォーミングは、送信デバイスと受信デバイスとの間の信号経路に沿ってアンテナビーム(たとえば、送信ビームまたは受信ビーム)をシェーピングまたはステアリングするために、送信デバイスまたは受信デバイス(たとえば、基地局105またはUE115)において使用され得る信号処理技法である。ビームフォーミングは、アンテナアレイに関して特定の向きに伝播する信号が強め合う干渉を受ける一方で、他の信号が弱め合う干渉を受けるように、アンテナアレイのアンテナ素子を介して通信される信号を組み合わせることによって達成され得る。アンテナ素子を介して通信される信号の調整は、デバイスと関連付けられるアンテナ素子の各々を介して搬送される信号に何らかの振幅と位相のオフセットを送信デバイスまたは受信デバイスが適用することを含み得る。アンテナ素子の各々と関連付けられる調整は、(たとえば、送信デバイスもしくは受信デバイスのアンテナアレイに関する、または何らかの他の向きに関する)特定の向きと関連付けられるビームフォーミング重みの集合によって定義され得る。
【００６３】
一例では、基地局105は、UE115との指向性通信のためのビームフォーミング動作を行うために、複数のアンテナまたはアンテナアレイを使用し得る。たとえば、一部の信号(たとえば、同期信号、基準信号、ビーム選択信号、または他の制御信号)は、異なる方向に複数回基地局105によって送信されることがあり、これは、送信の異なる方向と関連付けられる異なるビームフォーミング重みの集合に従って信号が送信されることを含むことがある。異なるビーム方向への送信は、基地局105による後続の送信および/または受信のためにビームの向きを(たとえば、基地局105またはUE115などの受信デバイスによって)特定するために使用され得る。特定の受信デバイスと関連付けられるデータ信号などの一部の信号は、信号ビーム方向(たとえば、UE115などの受信デバイスと関連付けられる方向)に基地局105によって送信され得る。いくつかの例では、信号ビーム方向に沿った送信と関連付けられるビーム方向は、異なるビーム方向に送信された信号に少なくとも一部基づいて決定され得る。たとえば、UE115は、異なる方向に基地局105によって送信される信号のうちの1つまたは複数を受信することができ、UE115は、最高の信号品質で、または別様に許容可能な信号品質で受信した信号の指示を、基地局105に報告し得る。これらの技法は、基地局105によって1つまたは複数の方向に送信される信号を参照して説明されるが、UE115は、異なる方向に複数回信号を送信するための(たとえば、UE115による後続の送信または受信のためのビーム方向を特定するための)、またはある信号方向に信号を送信するための(たとえば、データを受信デバイスに送信するための)同様の技法を利用し得る。
【００６４】
受信デバイス(たとえば、mmW受信デバイスの例であり得るUE115)は、同期信号、基準信号、ビーム選択信号、または他の制御信号などの、様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ素子において受信された信号に適用された異なる受信ビームフォーミング重みの集合に従って受信することによって、またはアンテナアレイの複数のアンテナ素子において受信された信号に適用された異なる受信ビームフォーミング重みの集合に従って、受信された信号を処理することによって、複数の受信方向を試みることができ、それらのいずれもが、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従った聴取に少なくとも一部基づいて決定されたビーム方向(たとえば、複数のビーム方向に従った聴取に少なくとも一部基づいて、最高の信号強度、最高の信号対雑音比、または別様に許容可能な信号品質を有すると決定されたビーム方向)に揃えられ得る。
【００６５】
いくつかの場合、基地局105またはUE115のアンテナは1つまたは複数のアンテナアレイ内に位置することがあり、1つまたは複数のアンテナアレイは、MIMO動作、または送信ビームフォーミングもしくは受信ビームフォーミングをサポートすることがある。たとえば、1つまたは複数の基地局アンテナまたはアンテナアレイは、アンテナタワーなどのアンテナアセンブリにおいて併置され得る。いくつかの場合、基地局105と関連付けられるアンテナまたはアンテナアレイは、多様な地理的位置に位置し得る。基地局105は、基地局105がUE115との通信のビームフォーミングをサポートするために使用し得る、いくつかの行および列のアンテナポートを伴うアンテナアレイを有し得る。同様に、UE115は、様々なMIMO動作またはビームフォーミング動作をサポートし得る1つまたは複数のアンテナアレイを有し得る。
【００６６】
いくつかの場合、ワイヤレス通信システム100は、階層化プロトコルスタックに従って動作するパケットベースネットワークであり得る。ユーザプレーンでは、ベアラまたはパケットデータコンバージェンスプロトコル(PDCP)レイヤにおける通信はIPベースであり得る。無線リンク制御(RLC)レイヤは、いくつかの場合、論理チャネルを介して通信するためにパケットセグメンテーションおよびリアセンブリを実行し得る。媒体アクセス制御(MAC)レイヤは、優先度処理と、トランスポートチャネルへの論理チャネルの多重化とを実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルが物理チャネルにマッピングされ得る。
【００６７】
いくつかの場合、UE115および基地局105は、データが正常に受信される可能性を高めるようにデータの再送信をサポートし得る。HARQフィードバックは、データが通信リンク125を介して正確に受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)でのMACレイヤにおけるスループットを改善し得る。いくつかの場合、ある特定のスロットの中の以前のシンボルにおいて受信されたデータに対するHARQフィードバックをデバイスがそのスロットにおいて提供し得る、同一スロットHARQフィードバックを、ワイヤレスデバイスがサポートし得る。他の場合は、デバイスは、後続のスロットにおいて、または何らかの他の時間間隔に従って、HARQフィードバックを提供し得る。
【００６８】
LTEまたはNRにおける時間間隔は、たとえば、Ts=1/30,720,000秒のサンプリング周期を基準とし得る、基本時間単位の倍数で表現され得る。通信リソースの時間間隔は、10ミリ秒(ms)の時間長を各々有する無線フレームに従って編成されることがあり、フレーム期間はTf=307,200Tsと表されることがある。無線フレームは、0から1023にわたるシステムフレーム番号(SFN)によって特定され得る。各フレームは、0から9の番号を付けられた10個のサブフレームを含むことがあり、各サブフレームは1msの時間長を有することがある。サブフレームはさらに、0.5msの時間長を各々有する2つのスロットへと分割されることがあり、各スロットは、6個または7個の変調シンボル期間(各シンボル期間の先頭に追加されるサイクリックプレフィックスの長さに依存する)を含むことがある。サイクリックプレフィックスを除いて、各シンボル期間は2048個のサンプリング期間を含み得る。いくつかの場合、サブフレームは、ワイヤレス通信システム100の最小のスケジューリング単位であることがあり、送信時間間隔(TTI)と呼ばれることがある。他の場合は、ワイヤレス通信システム100の最小のスケジューリング単位はサブフレームより短いことがあり、または(たとえば、短縮TTI(sTTI)のバーストにおいて、またはsTTIを使用した選択されたコンポーネントキャリアにおいて)動的に選択されることがある。
【００６９】
一部のワイヤレス通信システムでは、スロットはさらに、1つまたは複数のシンボルを含む複数のミニスロットへと分割され得る。いくつかの事例では、ミニスロットのシンボルまたはミニスロットが、スケジューリングの最小の単位であり得る。各シンボルは、たとえば、サブキャリア間隔または動作周波数帯域に応じて変動し得る。さらに、一部のワイヤレス通信システムは、UE115と基地局105との間の通信のために複数のスロットまたはミニスロットが一緒に集約されて使用される、スロットアグリゲーションを実施し得る。
【００７０】
「キャリア」という用語は、通信リンク125を介した通信をサポートするための定義された物理レイヤ構造を有する無線周波数スペクトルリソースの集合を指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、あらかじめ定義された周波数チャネル(たとえば、E-UTRA absolute radio frequency channel number(EARFCN))と関連付けられることがあり、UE115による発見のためにチャネルラスタに従って配置されることがある。キャリアは、(たとえば、FDDモードにおいて)ダウンリンクまたはアップリンクであることがあり、または(たとえば、TDDモードにおいて)ダウンリンク通信およびアップリンク通信を搬送するように構成されることがある。いくつかの例では、キャリアを介して送信される信号波形は、(たとえば、OFDMまたはDFT-s-OFDMなどのマルチキャリア変調(MCM)技法を使用して)複数のサブキャリアから構成され得る。
【００７１】
キャリアの編成構造は、異なる無線アクセス技術(たとえば、LTE、LTE-A、NRなど)に対して異なり得る。たとえば、キャリアを介した通信は、TTIまたはスロットに従って編成されることがあり、TTIまたはスロットの各々が、ユーザデータ、ならびにユーザデータの復号をサポートするため制御情報またはシグナリングを含むことがある。キャリアはまた、専用取得シグナリング(たとえば、同期信号またはシステム情報など)と、キャリアの動作を協調させる制御シグナリングとを含み得る。いくつかの例では(たとえば、キャリアアグリゲーション構成では)、キャリアは、取得シグナリングまたは他のキャリアのための動作を協調させる制御シグナリングも有し得る。
【００７２】
物理チャネルは、様々な技法に従ってキャリア上で多重化され得る。物理制御チャネルおよび物理データチャネルは、ダウンリンクキャリア上で、たとえば、時分割多重化(TDM)技法、周波数分割多重化(FDM)技法、またはハイブリッドTDM-FDM技法を使用して多重化され得る。いくつかの例では、物理制御チャネルにおいて送信される制御情報は、異なる制御領域の間に(たとえば、共通制御領域または共通探索空間と1つまたは複数のUE固有の制御領域またはUE固有の探索空間との間に)カスケード方式で分散され得る。
【００７３】
キャリアは、無線周波数スペクトルの特定の帯域幅と関連付けられることがあり、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアに対するいくつかの所定の帯域幅(たとえば、1.4、3、5、10、15、20、40、または80MHz)のうちの1つであり得る。いくつかの例では、各々のサービスされるUE115は、キャリア帯域幅の部分またはすべてにわたって動作するために構成され得る。他の例では、一部のUE115は、キャリア内のあらかじめ定められた部分または範囲(たとえば、サブキャリアまたはRBの集合)と関連付けられる狭帯域プロトコルタイプを使用する動作のために構成され得る(たとえば、狭帯域プロトコルタイプの「帯域内」展開)。
【００７４】
MCM技法を利用するシステムでは、リソース要素は、1つのシンボル期間(たとえば、1つの変調シンボルの時間長)および1つのサブキャリアからなることがあり、シンボル期間およびサブキャリア間隔は反比例する。各リソース要素によって搬送されるビットの数は、変調方式(たとえば、変調方式の次数)に依存し得る。したがって、UE115が受信するリソース要素が多いほど、かつ変調方式の次数が高いほど、UE115に対するデータレートは高くなり得る。MIMOシステムでは、ワイヤレス通信リソースは、無線周波数スペクトルリソース、時間リソース、および空間リソース(たとえば、空間レイヤ)の組合せを指すことがあり、複数の空間レイヤの使用は、UE115との通信のためのデータレートをさらに上げることがある。
【００７５】
ワイヤレス通信システム100のデバイス(たとえば、基地局105またはUE115)は、特定のキャリア帯域幅を介した通信をサポートするハードウェア構成を有することがあり、または、キャリア帯域幅の集合のうちの1つを介した通信をサポートするように構成されることがある。いくつかの例では、ワイヤレス通信システム100は、2つ以上の異なるキャリア帯域幅と関連付けられるキャリアを介した同時の通信をサポートすることができる基地局105および/またはUEを含み得る。
【００７６】
ワイヤレス通信システム100は、複数のセルまたはキャリア上でのUE115との通信をサポートすることができ、これは、キャリアアグリゲーション(CA)またはマルチキャリア動作と呼ばれることがある特徴である。UE115は、キャリアアグリゲーション構成に従って、複数のダウンリンクCCおよび1つまたは複数のアップリンクCCで構成され得る。キャリアアグリゲーションは、FDDコンポーネントキャリアとTDDコンポーネントキャリアの両方とともに使用され得る。
【００７７】
いくつかの場合、ワイヤレス通信システム100は拡張コンポーネントキャリア(eCC)を利用し得る。eCCは、より広いキャリアもしくは周波数チャネル帯域幅、より短いシンボル時間長、より短いTTI時間長、または修正された制御チャネル構成を含む、1つまたは複数の特徴によって特徴付けられ得る。いくつかの場合、eCCは、(たとえば、複数のサービングセルが準最適または理想的ではないバックホールリンクを有するとき)キャリアアグリゲーション構成またはデュアル接続性構成と関連付けられ得る。eCCはまた、(2つ以上の事業者が、スペクトルを使用することを許可される場合)免許不要スペクトルまたは共有スペクトルにおいて使用するために構成され得る。広いキャリア帯域幅によって特徴付けられるeCCは、全キャリア帯域幅を監視することが可能でないか、または(たとえば、電力を節約するために)限られたキャリア帯域幅を使用するように別様に構成される、UE115によって利用され得る1つまたは複数のセグメントを含み得る。
【００７８】
いくつかの場合、eCCは、他のCCとは異なるシンボル時間長を利用することがあり、そのことは、他のCCのシンボル時間長と比較して短縮されたシンボル時間長の使用を含むことがある。より短いシンボル時間長は、隣接するサブキャリア間の間隔の増大と関連付けられ得る。eCCを利用するUE115または基地局105などのデバイスは、短縮されたシンボル時間長(たとえば、16.67マイクロ秒)で、広帯域信号(たとえば、20、40、60、80MHzなどの周波数チャネルまたはキャリア帯域幅に従った)を送信し得る。eCC中のTTIは、1つまたは複数のシンボル期間からなり得る。いくつかの場合、TTI時間長(すなわち、TTIの中のシンボル期間の数)は可変であり得る。
【００７９】
NRシステムなどのワイヤレス通信システムは、とりわけ、免許スペクトル帯域、共有スペクトル帯域、および免許不要スペクトル帯域の任意の組合せを利用し得る。eCCシンボル時間長およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有を通じて、NR共有スペクトルは、スペクトル利用率およびスペクトル効率を高め得る。
【００８０】
一部のワイヤレス通信システム(たとえば、MIMO送信を実装するシステム)では、基地局105は、チャネル状態情報(CSI)基準信号(CSI-RS)などの基準信号の集合をUE115に送信し得る。UE115は、基準信号を受信し、基準信号のうちの1つまたは複数と関連付けられるチャネル品質を決定し得る。チャネル品質に基づいて、UE115は、基地局105との通信のためにビームの集合を選択し得る。ビームのこの選択された集合を基地局105に示すために、UE115は、合成インデックス値を生成することができ、合成インデックス値を基地局105に送信することができる。基地局105は、合成インデックス値に基づいて(たとえば、コードブックを使用して)ビームの示された集合を決定し得る。
【００８１】
図2は、本開示の様々な態様による、ビーム選択を示すためのスケーラブルプロセスをサポートするワイヤレス通信システム200の例を示す。ワイヤレス通信システム200は、図1を参照して説明されたデバイスおよびエリアの例であり得る、UE115-a、基地局105-a、および対応する地理的カバレッジエリア110-aを含み得る。基地局105-aおよびUE115-aは、ダウンリンク信号205およびアップリンク信号210を使用して通信し得る。いくつかの場合、基地局105-aは、1つまたは複数のアンテナポートを使用して、1つまたは複数の基準信号215をUE115-aに送信し得る。UE115-aは、受信された基準信号215、1つまたは複数のアンテナポート、または両方に基づいて、送信のための1つまたは複数のビームを選択することができ、選択されたビームおよび選択されたビームを示すためのスケーラブルプロセスに基づいて、合成インデックス値220を計算することができる。UE115-aは次いで、選択されたビームを示すために、合成インデックス値220を基地局105-aに送信し得る。
【００８２】
一部のワイヤレスシステム(たとえば、NRシステム)では、UE115-aおよび基地局105-aはMIMO送信をサポートし得る。MIMO送信は、信号が受信デバイスのアンテナ素子においてコヒーレントに組み合わさるような(すなわち、これは受信ダイバーシティと呼ばれることがある)送信デバイスのアンテナ素子からの信号の送信を指すことがある。そのような送信は、通信の信頼性を向上させることができる(たとえば、SNRを上げる、ブロックエラーレートを下げることなどができる)。加えて、または代わりに、MIMO送信は、複数の並列データストリームが別個の空間レイヤにわたって送信されるような、空間多重化を利用し得る。空間多重化は、送信されるビーム間の相関に依存する。2つの送信されるビームの信号が同様のマルチパス効果を受ける場合、信号の受信された複数のバージョンは高度に相関していることがあり、利用可能な空間多重化利得が比較的低い(たとえば、存在しない)ことがある。しかしながら、リッチマルチパス環境では、空間多重化はシステムのスループットを大きく上げることができる。
【００８３】
MIMO動作はビームフォーミングを利用することがあり、これは、アンテナビームを成形するために使用され得る信号処理技術である。ビームフォーミングは、アンテナアレイに関して特定の向きに伝播する信号が強め合う干渉を受ける一方で、他の信号が弱め合う干渉を受けるように、アンテナアレイのアンテナ素子を組み合わせることによって達成され得る。所望の干渉パターンを生成するために、アンテナポートを介して適用されるプリコーディングの使用を通じて、振幅および位相のオフセットがアンテナ素子に適用され得る。プリコーディングは、特定の向きと関連付けられるビームフォーミング重みの集合によって定義され得る。
【００８４】
MIMO通信をサポートするために、基地局105-aは、複数のアンテナポートを介して基準信号215(たとえば、CSI-RS)を送信することができ、各アンテナポートは、1つまたは複数の物理アンテナ(たとえば、アンテナアレイの中のアンテナ素子の組合せを指し得る)と関連付けられる。これらの送信は、ビームフォーミングされた送信の例であることもないこともある。たとえば、基地局105-aは、基地局105-aがUE115との通信のビームフォーミングをサポートするために使用し得るいくつかの行および列のアンテナポートを伴うアンテナアレイを有し得る。同様に、UE115(たとえば、UE115-a)は、様々なMIMO動作またはビームフォーミング動作をサポートし得る1つまたは複数のアンテナアレイを有し得る。例として、アンテナアレイ(たとえば、またはアンテナパネル)は、同じデジタルトランシーバチェーンに接続されるアンテナ素子の集合であることがあり、またはそれを含むことがある。アンテナアレイ(たとえば、またはアンテナパネル)は、アレイまたはパネルからの送信をビームフォーミングするアナログ位相制御回路を含み得る。基準信号215の一部またはすべてを受信するUE115-aは、通信環境の特性を決定するためにチャネル測定を実行し得る。たとえば、基準信号215を受信すると、UE115-aは、UE115-a自体と基地局105-aとの間のチャネルを推定し、推定に基づいてCSI報告を生成し得る。
【００８５】
UE115-a、基地局105-a、または両方が、線形結合コードブックを(たとえば、ある数のビームまたはある数のアンテナポートに対するCSI報告とともに)実装し得る。いくつかの場合、線形結合コードブックは、ビーム選択コードブック(タイプIIコードブックとも呼ばれる)であり得る。タイプIIコードブックは、プリコーディングされていない基準信号215(たとえば、CSI-RS)を使用し得る。タイプIIコードブックは、直交ベースシーケンスの集合を含むことがあり、または離散フーリエ変換(DFT)ベースシーケンスの集合を含むことがある。これらの符号語の各々が、符号語またはビームインデックスに対応し得る。いくつかの場合、線形結合コードブックは、ポート選択コードブック(タイプIIポート選択コードブックとも呼ばれる)であり得る。タイプIIポート選択コードブックは、プリコーディングされた基準信号(たとえば、CSI-RS)を使用し得る。UE115-aは、タイプIIコードブックの使用を示す構成を(たとえば、基地局105-aから)受信することができ、プリコーディングされていない基準信号215に基づいてCSI報告において基地局105-aに通信されるべきビームの組合せを特定することができる。代わりに、UE115-aは、タイプIIポート選択コードブックの使用を示す構成を受信することができ、プリコーディングされた基準信号215に基づいてCSI報告において基地局105-aに通信されるべきアンテナポートの組合せを特定することができる。すなわち、基準信号(たとえば、CSI-RS)がプリコーディングされるので、各アンテナポートはそれぞれのビームに対応することがあり、UE115-aは、アンテナポートとビームとの間の1対1の対応付けを使用してチャネル推定を実行することができる。したがって、本開示の態様では、タイプIIコードブックと連携してある数のビームを参照するために、および/またはタイプIIポート選択コードブックと連携してある数のアンテナポートを参照するために、ある数のビームが使用され得る。同様に、ビームインデックスは、タイプIIコードブックに関してビームインデックスもしくは符号語インデックスを参照し、かつ/またはタイプIIポート選択コードブックに関してアンテナポートインデックスを参照し得る。
【００８６】
UE115-aは、チャネル推定(たとえば、アンテナポートの集合から受信された基準信号に基づいて決定されるチャネル推定)と一致する線形結合コードブックのための1つまたは複数のビーム(たとえば、上で論じられたような、ビームまたはアンテナポート)を特定し得る。たとえば、UE115-aは、生の(プリコーディングされていない)チャネル(たとえば、H)を推定することができ、基準信号215およびアンテナポートに基づくチャネル推定を使用して、1つまたは複数の空間レイヤに対するプリコーディングベクトルに寄与するビームの集合(たとえば、コードブックのビームに対応する)を特定することができる。
【００８７】
1つまたは複数の空間レイヤの各々に対して、UE115-aは、所与のプリコーディングコードブックの中のプリコーディングベクトルまたは行列の部分集合の線形結合を示すCSIフィードバックを報告し得る。例として、各空間層に対して、プリコーディング行列は、
【００８８】
【数１】
2020530687.tif 000003
【００８９】
によって与えられることがあり、ここでwr,lは、第lのレイヤに対する第rの分極上のプリコーダである。プリコーディング行列wr,lは、送信ビームの線形結合(すなわち、加重和)によって取得され得る。たとえば、
【００９０】
【数２】
2020530687.tif 000004
【００９１】
であり、Lは、UE115-aがそれらに対するCSIフィードバックを報告するように構成されるビームの数であり、
【００９２】
【数３】
2020530687.tif 000005
【００９３】
は2次元離散フーリエ変換(2D-DFT)ビームであり、
【００９４】
【数４】
2020530687.tif 000006
【００９５】
は第lのレイヤの第iのビームの重みを表す。この式において、
【００９６】
【数５】
2020530687.tif 000007
【００９７】
はワイドバンドビーム振幅であり、これは有限の集合(たとえば、
【００９８】
【数６】
2020530687.tif 000008
【００９９】
)から導かれることがある。
【０１００】
【数７】
2020530687.tif 000009
【０１０１】
はサブバンドビーム振幅であり、これは別の有限の集合(たとえば、
【０１０２】
【数８】
2020530687.tif 000010
【０１０３】
)から導かれることがあり、cr,l,iはサブバンドビーム位相であり、これは第3の有限の集合(たとえば、
【０１０４】
【数９】
2020530687.tif 000011
【０１０５】
または
【０１０６】
【数１０】
2020530687.tif 000012
【０１０７】
)から導かれることがある。式1が例として含まれ、プリコーディング行列のための他の式が使用されることがあり、これらの式は同様に、ビームの構成される数、2D-DFTビーム、ビーム重み、ビーム振幅、またはビーム位相の任意の組合せに基づき得ることを理解されたい。
【０１０８】
基地局105-a(たとえば、または何らかの他の適切なネットワークエンティティ)は、第1および第2の方向または次元(N1,N2)におけるビームの数Lとアンテナポートの数とを構成し得る。すなわち、ビームまたはアンテナポートの数を構成するために、いくつかの場合、基地局105-aは、ビームまたはアンテナポートの数を示す構成メッセージをUE115-aに送信し得る。いくつかの場合、これはさらに、コードブック構成に基づき得る。たとえば、タイプIIコードブックに対して、UE115-aは、ビーム集合(たとえば、DFTビーム集合)から全体でN1*N2個のビームのうちのL個のビームを選択し得る。代わりに、タイプIIポート選択コードブックに対して、UE115-aは、PCSI-RS/2個のアンテナポートのうちのL個のアンテナポートを選択することができ、PCSI-RSは基準信号(たとえば、CSI-RS)アンテナポートの総数である。いくつかの場合、基地局105-aはまた、各方向に対するオーバーサンプリング比(O1,O2)を構成し得る。たとえば、アンテナポートの数およびオーバーサンプリング比は、基準信号215がビームフォーミングされない場合において構成され得る(たとえば、しかしアンテナポートの数およびオーバーサンプリング比は、ビーム/アンテナポートの数Lの構成だけを必要とし得るビームフォーミングされた基準信号215の場合は、使用されないことがある)。このようにして、ビームの数の構成は、アンテナポートの数Lの構成と関連付けられ得る(すなわち、それに基づき得る)。いくつかの場合、線形結合コードブックのためのフィードバックペイロードは、各空間レイヤに対して(たとえば、2つの分極を各々伴うL個のビームに対して)係数の2L個の集合を含み得る。したがって、コードブックは、ビーム/アンテナポートの数Lの構成にも基づき得る。
【０１０９】
選択されたビームを報告するために、UE115-aは、
【０１１０】
【数１１】
2020530687.tif 000013
【０１１１】
個のビットを使用し得る。たとえば、基地局105-aが、各々サイズ4の2次元の4つのビームから選択するようにUE115-aを構成する場合(すなわち、L=4かつN1=N2=4)、それらの次元に対するビームの1820個の可能な異なる組合せがあり得る。そのような例では、UE115-aは、選択されたビームを示すために、11ビットの合成インデックス値220を使用し得る。しかしながら、より多くの選択されたビーム(たとえば、ランク8送信をサポートするシステムにおける)またはより高い次元をサポートする他の例では、UE115-aは、さらにより多くの可能な組合せから、およびそれに対応して、さらにより多くの合成インデックス値220から選択することができる。UE115-a、基地局105-a、または両方が、合成インデックス値220を決定するための単純なルックアップテーブルを実装する場合、デバイスは、N1、N2、およびLの各値に対して異なるルックアップテーブルを使用することがあり、各ルックアップテーブルは非常に大きく非効率であることがある。たとえば、上の例では、UE115-aおよび基地局105-aは、網羅的な検索を実行することがあり、これは最悪の場合、選択されたビームに対する合成インデックス値220を決定するために1819回の比較動作を利用することがある。
【０１１２】
様々な態様によれば、UE115-aまたは基地局105-aは、N1、N2、L、またはこれらのパラメータの何らかの組合せとスケーラブルであるテーブルの集合を実装し得る。たとえば、基地局105-aおよびUE115-aは、ワイヤレスネットワークに対するN1、N2、およびLの最大のサポートされる値の指示を含むことがあり、これらはそれぞれ、N1,max、N2,max、およびLmaxと呼ばれることがある。基地局105-aおよびUE115-aはLmax個のテーブルを記憶することができ、各テーブルは最大でN1,max×N2,maxまでのエントリの数を含み得る。いくつかの場合、テーブルは、オフラインで生成または計算されることがあり、ワイヤレスデバイスのセットアップ手順または初期化手順の間に基地局105-aまたはUE115-aに記憶されることがある。UE115-aがビームの特定の数または次元の特定のサイズのために構成されるとき、またはUE115-aが基準信号215を受信するとき、UE115-aは、合成インデックス値220を決定するためのテーブルおよびエントリの部分集合を選択し得る。たとえば、L=2、N1=3、およびN2=3に対して構成される場合、UE115-aはテーブルの全体の集合のうちの最初の2つのテーブルを利用し得る。加えて、この例では、最初の2つのテーブルの8つのエントリ(たとえば、第1のテーブルに対しては0からN1×N2-2までのビームインデックスを有するエントリ、および第2のテーブルに対しては1からN1×N2-1までのビームインデックスを有するエントリ)がアクティブなエントリである。別の例では、UE115-aは、L=4、N1=4、およびN2=4に対して構成され得る。そのような例では、UE115-aは最初の4つのテーブルを選択することができ、ここで最初の2つのテーブルは以前のL=2の例と同じである。加えて、4つの選択されたテーブルの各々の中のN1N2-(L-1)に等しい数のエントリがアクティブなエントリである(たとえば、テーブル0からテーブルL-1までの所与のテーブルmに対して、mからN1N2-(L-m)までのビームインデックスはアクティブであることがある)。構成(たとえば、アンテナポートの数の構成、ビームの数の構成など)に基づいて、基地局105-aは同様に、同じテーブルの部分集合およびアクティブなエントリの部分集合を選択し得る。
【０１１３】
UE115-aは、合成インデックス値220を決定するために、テーブルの選択された部分集合およびアクティブなエントリを利用し得る。UE115-aは、たとえば、各次元または方向(たとえば、N1およびN2)と関連付けられるサブビームインデックスに基づいて、各々の選択されるビームに対するビームインデックスを決定し得る。UE115-aは、決定されたビームインデックスを昇順で並べることができ、テーブルの選択された部分集合のうちの対応するテーブルと各ビームインデックスを関連付ける(すなわち、第1のビームインデックスを第1のテーブルと関連付ける、第2のビームインデックスを第2のテーブルと関連付けるなど)ことができる。各ビームインデックスに対して、UE115-aは、そのビームインデックスを伴うエントリについて関連するテーブルを検索することができ、対応する値を決定することができる。たとえば、第1のテーブルにおいて、各ビームインデックスは、そのビームインデックスに等しい値に対応し得る。しかしながら、後続のテーブルでは、各ビームインデックスに対応する値はパターンまたは式に基づき得る。たとえば、テーブルmの中の所与のビームインデックスilに対して、対応する値は、テーブルmの中のビームインデックスil-1の値と、テーブルm-1の中のビームインデックスil-1の値との合計に等しいことがある。UE115-aは、各ビームインデックスに対応する値を決定することができ、値を合計して送信のための合成インデックス値220を決定することができる。
【０１１４】
UE115-aは、合成インデックス値220を基地局105-aに送信することができる。基地局105-aは、合成インデックス値220を受信することができ、生成されたまたは記憶されているスケーラブルテーブルを同様に使用して、示されるビームを特定することができる。UE115-aと同様に、基地局105-aは、N1、N2、L、または何らかの他のパラメータの構成に基づいて、テーブルおよびエントリの部分集合を選択し得る。基地局105-aは、ビームインデックスの最大のビームインデックスおよびテーブルの集合の最後の選択されたテーブルで開始し得る。降順で動作しながら、基地局105-aは、テーブルおよび合成インデックス値220に基づいてビームインデックスを決定し得る。たとえば、基地局105-aは、合成インデックス値220以下であるアクティブなエントリの最大値について最後のテーブルを検索することによって、第1のビームインデックスを決定し得る。基地局105-aは、合成インデックス値220以下である特定された最大値に対応するビームインデックスに第1のビームインデックスを設定することができ、特定された最大値を合成インデックス値220から差し引くことによって合成インデックス値220を更新することができる。基地局105-aは次いで、この更新された合成インデックス値および2番目のテーブルから最後のテーブルを使用して、同じプロセスを使用して第2のビームインデックスを決定し得る。基地局105-aは、合成インデックス値220によって示される各ビームインデックスを決定するまで、この反復的なプロセスを続け得る。基地局105-aは、これらのビームインデックス、またはこれらのビームインデックスに対応するサブビームインデックスの集合を使用して、UE115-aとのMIMO送信のためのビームを選択し得る。選択されたビームはチャネル信頼性を向上させることができ、それは、ビームは元々、基準信号215、構成されたアンテナポート、決定されたチャネル品質、またはこれらの何らかの組合せに基づいてUE115-aによって選択されていたからである。
【０１１５】
一実施形態では、UE115-a、基地局105-a、または両方が、スケーラブルテーブルではなく式を使用し得る。この実施形態では、メモリの中のスケーラブルテーブルの中の各ビームインデックスに対応する値を探すのではなく、デバイスは、式のセットに基づく計算を実行してビームインデックスの値を決定し得る。これらの値は、他の実施形態においてメモリの中のテーブルに記憶されている値と等価であることがある。たとえば、ビームインデックスの順序付けられた集合の第1のビームインデックス(すなわち、ビームインデックスm=0)に対応する値を決定するために、デバイスは式
g0(i0)=i0              (2)
を使用することができる。各々の後続のビームインデックスm=1,2,...,L-1に対して、デバイスは式
【０１１６】
【数１２】
2020530687.tif 000014
【０１１７】
を使用することができる。このようにして、式3は、第(m+1)のビームインデックスから追加の値にマッピングすることができ、ここでこの値はimとmの関数である。1つの場合は、L=4である場合、デバイスは、4つのビームインデックスの各々に対応する値を加算することによって、合成インデックス値220を決定し得る。たとえば、
【０１１８】
【数１３】
2020530687.tif 000015
【０１１９】
このようにして、式4は、ビームインデックスの全体の集合から合成インデックス値へのマッピングの例を示すことができ、合成インデックス値は、ビームの数Lに対する複数のimおよびmの値の関数である。したがって、UE115-a、基地局105-a、または両方が、スケーラブルテーブルまたは等価な式のいずれかを使用して、ビームインデックスに基づいて合成インデックス値220を効率的に決定し、または合成インデックス値220に基づいてビームインデックスを決定し得る。上の式は例として提示され、他の式が合成インデックス値を決定するために実装され得ることを理解されたい。上と同様に、これらの式は、選択されたビームインデックスに基づいて(たとえば、ネストされた加算または他の関連する動作を使用して)合成インデックスを決定し得る。
【０１２０】
図3は、本開示の様々な態様による、ビーム選択を示すためのスケーラブルプロセスをサポートするスケーラブルテーブル300の集合を示す。スケーラブルテーブル300の集合は、N1、N2、L、またはこれらのパラメータの合成とスケーラブルであり得る。たとえば、スケーラブルテーブル300の集合はLmax個のテーブル305を含むことがあり、Lmaxはワイヤレスネットワークによって構成される選択されるビームの最大の可能な数Lに対応し得る。各テーブルmは、ビームインデックスの集合の(m+1)番目に小さいビームインデックスimに対応し得る。スケーラブルテーブル300の集合は、選択されたビームの集合、およびビームインデックスの対応する集合から、固有の合成インデックス値にマッピングし得る。いくつかの場合、図1および図2を参照して説明されたようなUE115は、選択されたビームに基づいて合成インデックス値を決定するために、メモリにスケーラブルテーブル300の集合を記憶し得る。図1および図2を参照して説明されたような基地局105は、受信された合成インデックス値に基づいて選択されたビームの集合を決定するために、メモリにスケーラブルテーブル300の集合を記憶し得る。
【０１２１】
テーブル305は反復的なプロセスに基づいて生成され得る。たとえば、第1のテーブル305-aにおいて、各エントリの値315は、ビームインデックス310の値に等しいことがある。すなわち、
g0(i0)=i0                (2)
第1のテーブル305-aの後の各テーブル305に対して、各々の後続のテーブル305の第1の値315(たとえば、テーブルm>0に対して、ビットインデックスmに対応する値315)は0に等しいことがある。後続の値315は、テーブル305および以前のテーブル305(たとえば、直前のテーブル305)に基づき得る。たとえば、第2のテーブル305-bに対する後続の値315は、第2のテーブル305-bの中の値315および以前のテーブルである第1のテーブル305-aの中の値315に基づき得る。各ビームインデックス310に対応する値315は、直前のビームインデックス310の値315、ならびに、直前のテーブル305に対する直前のビームインデックス310の値315に基づき得る。図3に示されるように、テーブル305-bの中の4のビームインデックスの値315は、テーブル305-bに対する3のビームインデックスの値315と、テーブル305-aに対する3のビームインデックスの値315の合計であり得る。すなわち、テーブルm>0、各エントリn>mに対して、
n=gm(im)=gm-1(im-1)+gm(im-1)        (5)
各テーブル305は、直交2D-DFTビームの最大の数に等しい数(n)のエントリを含むことがあり、これは次元のサイズに基づくことがある。たとえば、最大の第1の次元のサイズN1,maxおよび最大の第2の次元のサイズN2,maxに対して、各テーブル305はN1,max×N2,max個のエントリを含むことがある。別々のテーブルとして示されているが、スケーラブルテーブル300の集合は、メモリに記憶されていることがあり、または任意の数の技法を使用して実装されることがあることを理解されたい。たとえば、各テーブルがビームインデックス310に対応する値315の単一の行を含むので、スケーラブルテーブル300の集合は、単一のテーブルとして記憶または実装されることがあり、各テーブル305に対する値315は、合成されたテーブルの行または列に対応することがある。
【０１２２】
UE115などのワイヤレスデバイスは、スケーラブルテーブル300の集合を利用して、固有の合成インデックス値を計算し得る。すなわち、ビームインデックス310の各々の異なる集合が、異なる合成インデックス値に対応し得る。UE115は、N1、N2、およびLに対する構成される値を決定することができ、スケーラブルテーブル300の集合からテーブルおよびエントリの部分集合325を選択することができる。たとえば、示されるように、ワイヤレスデバイスは、L=4、N1=3、およびN2=3に対して構成され得る。そのような例では、デバイスは、テーブルおよびエントリの部分集合325を選択し得る。この部分集合に対して、デバイスは、スケーラブルテーブル300の集合の最初のL個のテーブル305を選択し得る。加えて、UE115-aは、構成に基づいて、利用すべき各テーブル305の専用部分を選択し得る。たとえば、0≦m≦L-1であるテーブルmに対して、エントリn=m,m+1,...,N1N2-(L-m)が、所与の構成に対してアクティブであり得る。上で説明された例では、テーブルおよびエントリの部分集合325は、テーブル305-aに対するエントリ0から5を含み得るが、テーブル305-dに対するエントリ3から8を含み得る。したがって、各テーブルmは、エントリmで開始することがあるので、エントリmの前の任意のエントリに対する使用されていないエントリ320を含むことがある。いくつかの場合、これらの使用されていないエントリ320はヌル値または0に設定され得る。
【０１２３】
UE115が送信のためのビームを選択するとき、UE115は、テーブルおよびエントリの部分集合325を利用して、選択されたビームに対応する合成インデックス値を決定し得る。UE115はまず、選択されたビームの各々に対する対応するビームインデックス310を決定し得る。たとえば、上で説明された構成(すなわち、L=4、N1=3、およびN2=3)に対して、UE115は4つのビームを選択することができ、各ビームは0から8にわたるビームインデックス310に対応する。ある特定の場合は、UE115は、ビームインデックス1、3、5、および8に対応するビームを選択し得る。構成に基づいて、UE115は、合成インデックス値を決定するためのテーブルおよびエントリの部分集合325を選択し得る。UE115はまず、最大のビームインデックス310に対する最後のテーブル305から値315を決定し得る。たとえば、ビームインデックス8に対して、UE115は、テーブル305-dから対応する値70を選択し得る。UE115は次いで、次に大きいビームインデックス310に対して、次のテーブルから最後のテーブル305に対する値315(たとえば、テーブル305-cの中のビームインデックス5に対応する10という値)を決定し得る。UE115は、各々の選択されたビームインデックス310に対応する値315(たとえば、テーブル305-bおよび305-aの中のビームインデックス3および1にそれぞれ対応する値3および1)を決定するまで、このプロセスを続け得る。UE115は次いで、決定された値315に基づいて合成インデックス値を計算し得る。たとえば、UE115は、決定された値315(たとえば、70、10、3、および1)を合計して、合成インデックス値(たとえば、84)を計算し得る。スケーラブルテーブル300の集合は、選択されたビームインデックスから合成インデックス値への1対1のマッピングをサポートし得る。すなわち、所与の構成に対して、ビームインデックス1、3、5、および8のみが、84という合成インデックス値にマッピングし得る。
【０１２４】
UE115は、選択されたビームを示すために、この合成インデックス値を基地局105に送信し得る。基地局105は、合成インデックス値を受信することができ、スケーラブルテーブル300の集合を使用して示されるビームを決定することができる。基地局105は、構成に基づいてテーブルおよびエントリの部分集合325を選択し得る。基地局105は次いで、合成インデックス以下である、最後のテーブル305からの最大の値315に対応するビームインデックス310を決定し得る。たとえば、84という合成インデックス値に対して、基地局105は、テーブル305-dの中の70という値が合成インデックス値以下の最大の値315であると決定し得る。したがって、基地局105は関連するビームインデックス8を選択し得る。基地局105は、選択されたビームインデックスに基づいて合成インデックス値を更新し得る。たとえば、基地局105は、合成インデックス値84から対応する値70を差し引き、14という更新された合成インデックス値を得ることができる。基地局105は、合成インデックス値を更新することに基づいて、残りのビームインデックス310を反復的に決定し続け得る。たとえば、基地局105は、10という値が14という更新された合成インデックス値以下の次のテーブルから最後のテーブル305-cの最大の値315であると決定することができ、5という対応するビームインデックスを選択し、合成インデックス値をさらに更新する(たとえば、10という値を差し引いて4という更新された合成インデックス値を得る)ことができる。同様に、基地局105は、反復的なプロセスを使用して、3および1という他の2つのビームインデックスを決定し得る。したがって、基地局105は、合成インデックス値に基づいて、かつスケーラブルテーブル300の集合を使用して、ビームインデックスおよび対応する選択されたビームを決定し得る。
【０１２５】
図4は、本開示の様々な態様による、ビーム選択を示すためのスケーラブルプロセスをサポートするプロセスフロー400を示す。プロセスフロー400は、基地局105-bおよびUE115-bを含むことがあり、基地局105-bおよびUE115-bは、図1および図2を参照して説明されたデバイスの例であり得る。基地局105-bは、1つまたは複数のアンテナポートを使用して基準信号をUE115-bに送信することができ、UE115-bは、基準信号に基づいて(たとえば、対応するアンテナポートに基づいて)ビームを選択することができる。UE115-bは次いで、テーブルのスケーラブル集合を使用して、選択されたビームを基地局105-bに示し得る。
【０１２６】
405において、基地局105-bは、1つまたは複数のアンテナポートと関連付けられる基準信号の集合をUE115-bに送信し得る。基準信号の集合は、ビームフォーミングされた送信またはビームフォーミングされていない送信のいずれかで送信され得る。
【０１２７】
410において、UE115-bはビームインデックスの集合を特定し得る。いくつかの場合、これらのビームインデックスは、基準信号に基づき得る(たとえば、関連する1つまたは複数のアンテナポートに基づき得る)。たとえば、UE115-bは、基準信号の集合に基づいてコードブックから1つまたは複数のビームを選択し得る。ビームインデックスの集合は、選択されたビームの数に等しい数のビームインデックスを含み得る。いくつかの場合、ビームインデックスの集合のうちのあるビームインデックスを特定するために、UE115-bは、第1の次元に対応する第1のサブビームインデックスおよび第2の次元に対応する第2のサブビームインデックスを特定することができ、第1のサブビームインデックスおよび第2のサブビームインデックスに基づいてビームインデックスを計算することができる。たとえば、UE115-bは、第1のサブビームインデックスを第2の次元のサイズと乗じることができ、ビームインデックスを計算するために第2のサブビームインデックスを加算することができる。ビームインデックスは昇順で並べられ得る。
【０１２８】
415において、UE115-bは、ビームインデックスの集合のうちのそのビームインデックスと関連付けられる値を決定し得る。UE115-bは、ビームインデックスの集合のうちの第1のビームインデックスと関連付けられる第1の値を決定し得る。たとえば、第1の値は第1のビームインデックスと等しいことがある。加えて、UE115-bは、1つまたは複数のテーブルに基づいて、ビームインデックスの集合のうちの追加のビームインデックスと関連付けられる追加の値を決定し得る。たとえば、追加の値を決定するために、UE115-bは、1つまたは複数のテーブルのうちの先行するテーブルおよび現在のテーブルを利用し得る。UE115-bは、先行するテーブルから先行するビームインデックスと関連付けられる第1の入力値と、現在のテーブルから先行するビームインデックスと関連付けられる第2の入力値とを特定することができ、第1の入力値および第2の入力値を合計して、ビームインデックスと関連付けられる追加の値を決定することができる。代わりに、UEは、現在のテーブルから、追加のビームインデックスと関連付けられる値として、追加の値を直接取得することができる。
【０１２９】
420において、UE115-bは、合成インデックス値を計算するために、第1の値を追加の値と合計し得る。425において、UE115-bは、合成インデックス値を基地局105-bに送信し得る。
【０１３０】
430において、基地局105-bは、合成インデックス値によって示されるビームインデックスを決定し得る。たとえば、基地局105-bは、現在のテーブルおよび受信された合成インデックス値に基づいて、ビームの選択された集合のうちの第1のビームに対する最大のビームインデックスを決定し得る。基地局105-bは加えて、現在のテーブルおよび更新された合成インデックス値に基づいて、ビームの選択された集合のうちの各々の追加のビームに対する追加のビームインデックスを決定し得る。ビームの各々に対して、基地局105-bは、現在の(たとえば、受信または更新された)合成インデックス値以下である現在のテーブルの中の最大の値を特定することができ、特定された最大の値に対応するビームインデックス値にビームインデックスを設定することができる。基地局105-bは次いで、特定された最大の値を合成インデックス値から差し引くことによって、合成インデックス値を更新し得る。このようにして、基地局105-bは、ビームの選択された集合の各ビームに対するビームインデックスを決定し得る。
【０１３１】
図5は、本開示の様々な態様による、ビーム選択を示すためのスケーラブルプロセスをサポートするUEプロセス500を示す。UEプロセス500はUE115-bによって実行されることがあり、これは、図4で論じられるものと同じUE115-b、または図1および図2で論じられる任意のUE115であることがある。いくつかの場合、UE115-bは、図3を参照して上で説明されたように、メモリに記憶されているスケーラブルテーブルの集合(たとえば、単一のテーブルまたは複数のテーブルとしての)を使用して、UEプロセス500を実行し得る。他の場合は、UE115-bは、UEプロセス500を実行するために式の集合を使用することができ、式の集合またはスケーラブルテーブルの集合は同じ結果をもたらし得る。
【０１３２】
505において、UE115-bは、各々の選択されたビームに対するビームインデックスを決定するために第1のプロセスを実行し得る。たとえば、UE115-bは、受信された基準信号、チャネル推定、または両方に基づいて、ビームの集合を選択し得る。各々の選択されたビームは、各次元におけるサブビームインデックスに対応し得る。すなわち、2D-DFTビームに対して、各ビームは、第1の次元N1における第1のサブビームインデックスil1および第2の次元N2における第2のサブビームインデックスil2によって定義され得る。たとえば、第1の次元のインデックスは、集合il1=0,1,...,N1-1のうちのある値であることがあり、第2の次元のインデックスは、集合il2=0,1,...,N2-1のうちのある値であることがある。サブビームインデックスに基づいて、UE115-bは、スケーラブルテーブルの集合または式の集合において使用され得る選択されたビームに対応するビームインデックスを決定し得る。UE115-bは、以下の2つの式のうちの1つを使用して、または、サブビームインデックスおよび/もしくは次元に基づく何らかの同様の式を使用して、サブビームインデックスに基づいてビームインデックスilを計算し得る。
il=il1×N2+il2                      (6)
il=il2×N1+il1                      (7)
【０１３３】
510において、UE115-bは選択されたビームインデックスを昇順で並べ得る。すなわち、L個の選択されたビームに対応するビームインデックスに対して、UE115-bは、i0<i1<...<iL-1であるようにビームインデックスilを並べ得る。
【０１３４】
515において、UE115-bは、ビームインデックスに対応する合成インデックス値を計算し得る。合成インデックス値は値の集合に基づくことがあり、ここで集合の各値は、ビームインデックスの並べられた集合のうちのあるビームインデックスに対応する。ビームインデックスmに対する値はgm(im)と定義され得る。UE115-bは、各ビームインデックスに対応する値を決定することができ、値を合計して合成インデックス値vを決定することができる。たとえば、
【０１３５】
【数１４】
2020530687.tif 000016
【０１３６】
すなわち、UE115-bは、長さLの集合にわたる変数imおよびmに基づく加算の関数として合成インデックス値を決定するために、式8または何らかの同様の式などの式を使用し得る。各ビームインデックスに対応する値を決定するために、UE115-bは、スケーラブルテーブルの集合または式を利用し得る。UE115-bがテーブルの集合を使用する場合、UE115-bはまず、最後のテーブルであるテーブルL-1から、最後のビームインデックスiL-1の値を決定し得る。テーブルL-1は、エントリL、L+1、...N1N2-1を含むことがあり、これらのエントリのうちの1つは最後のビームインデックスに対応する。UE115-bは、ビームインデックスiL-1と関連付けられる値gL-1(iL-1)についてテーブルL-1を検索し得る。ビームインデックスiL-1に対する値を決定することに加えて、UE115-bは同様に、テーブルL-2のエントリL-1、L、...、N1N2-2からビームインデックスiL-2に対する値を決定し得る。UE115-bは、iL-1からi1までのビームインデックスの集合の各ビームインデックスについてこのプロセスを実行し得る。UE115-bは加えて、式2に従ってビームインデックスi0に対する値を決定し得る(すなわち、g0(i0)=i0)。UE115-bは次いで、式8に従って合成インデックスvを計算し得る。
【０１３７】
図6は、本開示の様々な態様による、ビーム選択を示すためのスケーラブルプロセスをサポートする基地局プロセス600を示す。基地局プロセス600は基地局105-bによって実行されることがあり、これは、図4で論じられるものと同じ基地局105-b、または図1および図2で論じられる任意の基地局105であることがある。いくつかの場合、基地局105-bは、図3を参照して上で説明されたように、メモリに記憶されているスケーラブルテーブルの集合を使用して、基地局プロセス600を実行し得る。他の場合は、基地局105-bは、基地局プロセス600を実行するために式の集合を使用することができ、式の集合またはスケーラブルテーブルの集合は同じ結果をもたらし得る。
【０１３８】
605において、基地局105-bは、受信された合成インデックス値をビームインデックスの集合にマッピングし得る。たとえば、基地局105-bは、UE115から合成インデックス値を受信することができ、合成インデックス値は、基地局105-bとの通信のためにUE115によって選択されるビームの集合を示す。基地局105-bは、テーブルの選択された集合および合成インデックス値vに基づいて、ビームインデックスの集合のビームインデックスを降順で決定し得る。たとえば、基地局105-bはまず、選択されたテーブルの集合のうちの最後のテーブルを使用して、ビームインデックスの集合のうちの最大のビームインデックスを決定し得る。
【０１３９】
一態様では、基地局105-bは、スケーラブルテーブルの集合の最初のL個のテーブル(たとえば、テーブル0からテーブルL-1にわたる)を選択し得る。基地局105-bはまず、gL-1(iL-1)≦vであるように最大の値gL-1(iL-1)についてテーブルL-1を検索し得る。基地局105-bは、決定された最大の値gL-1(iL-1)に対応するビームインデックス値に等しく最大のビームインデックスiL-1を設定し得る。基地局105-bは、残りのビームインデックスを降順で反復的に決定し得る。たとえば、2番目に大きいビームインデックスiL-2を決定するために、基地局105-bは、gL-2(iL-2)≦v-gL-1(iL-1)であるように、最大の値gL-2(iL-2)についてテーブルL-2を検索し得る。そのような場合、最大の値は、合成インデックス値vから、決定された最大のビームインデックスの値を引いたもの以下でなければならない。このようにして、基地局105-bは、以下の式を満たすような最大の値gL-l(iL-l)についてテーブルL-1を検索することによって、l番目に大きいビームインデックスを決定し得る。
【０１４０】
【数１５】
2020530687.tif 000017
【０１４１】
上で説明されたプロセスから、基地局105-bは、受信された合成インデックス値vによって示されるL個のビームインデックスを決定し得る。合成インデックス値からビームインデックスの集合へのこのマッピングは、1対1のマッピングの例であり得る。決定されるビームインデックスは、UE115によって選択されるL個のビームの集合に対応し得る。
【０１４２】
610において、基地局105-bは、ビームインデックスの決定された集合に基づいてサブビームインデックスを計算し得る。サブビームインデックスは、ビームに対する1つの次元または方向を定義し得る。たとえば、2D-DFTビームに対して、各ビームインデックスilは、第1の次元N1における第1のサブビームインデックスil1および第2の次元N2における第2のサブビームインデックスil2へと分解され得る。サブビームインデックスil1およびil2は、通信のためにUE115によって選択されるビームを定義し得る。基地局105-bは、以下の式の2つの集合のうちの1つ、または何らかの同様の式を使用して、サブビームインデックスを計算し得る。
【０１４３】
【数１６】
2020530687.tif 000018
【０１４４】
基地局105-bは、計算されたサブビームインデックスに基づいて、UE115とその上で通信するためのビームを決定し得る。
【０１４５】
図7は、本開示の態様による、ビーム選択を示すためのスケーラブルプロセスをサポートするワイヤレスデバイス705のブロック図700を示す。ワイヤレスデバイス705は、本明細書で説明されるようなUE115の態様の例であり得る。ワイヤレスデバイス705は、受信機710、UEビーム指示モジュール715、および送信機720を含み得る。ワイヤレスデバイス705は、プロセッサも含み得る。これらの構成要素の各々は、(たとえば、1つまたは複数のバスを介して)互いに通信していることがある。
【０１４６】
受信機710は、パケット、ユーザデータ、または様々な情報チャネル(たとえば、制御チャネル、データチャネル、およびビーム選択を示すためのスケーラブルプロセスに関する情報など)と関連付けられる制御情報などの情報を受信することができる。情報はデバイスの他の構成要素に受け渡され得る。受信機710は、図10を参照して説明されるトランシーバ1035の態様の例であり得る。受信機710は、単一のアンテナまたはアンテナのセットを利用することができる。
【０１４７】
UEビーム指示モジュール715は、図10を参照して説明されるUEビーム指示モジュール1015の態様の例であり得る。UEビーム指示モジュール715および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UEビーム指示モジュール715および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明される機能を実行するように設計されたそれらの任意の組合せによって実行され得る。UEビーム指示モジュール715および/またはその様々な下位構成要素のうちの少なくともいくつかは、機能の一部が1つまたは複数の物理デバイスによって異なる物理的位置において実装されるように分散されることを含めて、様々な場所に物理的に位置し得る。いくつかの例では、UEビーム指示モジュール715および/またはその様々な下位構成要素のうちの少なくともいくつかは、本開示の様々な態様による別個のおよび異なる構成要素であり得る。他の例では、UEビーム指示モジュール715および/またはその様々な下位構成要素のうちの少なくともいくつかは、限定はされないが、入力/出力(I/O)構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わされ得る。
【０１４８】
いくつかの場合、UEビーム指示モジュール715は、基地局から、基地局の1つまたは複数のアンテナポートと関連付けられる基準信号の集合を受信することができ、基準信号の集合、1つまたは複数のアンテナポート、またはこれらの組合せに基づいて、ビームインデックスの集合を特定することができる。
【０１４９】
UEビーム指示モジュール715は、基地局に報告するための選択されるビームの集合を特定し、ビームインデックスの集合のうちの第1のビームインデックスと関連付けられる第1の値を決定し(たとえば、ビームインデックスは基準信号またはアンテナポートに基づいて特定される)、第1の値が第1のテーブルの第1のインデックス値に対応し、ビームインデックスの集合が選択されるビームの集合の選択されるビームの数に等しい数のビームインデックスを含み、1つまたは複数の追加のテーブルに基づいて、ビームインデックスの集合のうちの1つまたは複数の追加のビームインデックスと関連付けられる追加の値を決定し、第1の値と追加の値のうちの1つまたは複数を合計して合成インデックス値を決定し、基地局に、選択されたビームの集合を示す合成インデックス値を送信し得る。
【０１５０】
送信機720は、デバイスの他の構成要素によって生成される信号を送信し得る。いくつかの例では、送信機720は、トランシーバモジュールにおいて受信機710と併置され得る。たとえば、送信機720は、図10を参照して説明されるように、トランシーバ1035の態様の例であり得る。送信機720は、単一のアンテナまたはアンテナのセットを利用し得る。
【０１５１】
図8は、本開示の態様による、ビーム選択を示すためのスケーラブルプロセスをサポートするワイヤレスデバイス805のブロック図800を示す。ワイヤレスデバイス805は、図1〜図5または図7を参照して説明されたようなワイヤレスデバイス705またはUE115の態様の例であり得る。ワイヤレスデバイス805は、受信機810、UEビーム指示モジュール815、および送信機820を含み得る。ワイヤレスデバイス805は、プロセッサも含み得る。これらの構成要素の各々は、(たとえば、1つまたは複数のバスを介して)互いと通信していることがある。
【０１５２】
受信機810は、パケット、ユーザデータ、または様々な情報チャネル(たとえば、制御チャネル、データチャネル、およびビーム選択を示すためのスケーラブルプロセスに関する情報など)と関連付けられる制御情報などの情報を受信することができる。情報はデバイスの他の構成要素に受け渡され得る。受信機810は、図10を参照して説明されるトランシーバ1035の態様の例であり得る。受信機810は、単一のアンテナまたはアンテナのセットを利用することができる。
【０１５３】
UEビーム指示モジュール815は、図7、図9、および図10を参照して説明されるUEビーム指示モジュール715、915、または1015の態様の例であり得る。UEビーム指示モジュール815はまた、基準信号構成要素825、ビームインデックス識別器830、値識別器835、および合成インデックス構成要素840を含み得る。
【０１５４】
基準信号構成要素825は、基地局から、基地局の1つまたは複数のアンテナポートと関連付けられる基準信号の集合を受信し得る。いくつかの場合、基準信号の集合は、ビームフォーミングされた送信またはビームフォーミングされていない送信において受信される。
【０１５５】
ビームインデックス識別器830は、基地局に報告するための選択されたビームの集合を特定し得る。いくつかの例では、ビームインデックス識別器830は、基準信号の集合、1つまたは複数のアンテナポート、またはこれらの組合せに基づいて、ビームインデックスの集合を特定することができ、ビームインデックスの集合は、選択されたビームの数に等しい数のビームインデックスを含む。いくつかの場合、ビームインデックスの集合の各々の追加のビームインデックスは、以前の追加のビームインデックスに関して昇順で増大する。いくつかの場合、ビームインデックス識別器830は、第1のサブビームインデックスおよび第2のサブビームインデックスに基づいてビームインデックスを計算し得る。たとえば、ビームインデックスを計算することはさらに、第1のサブビームインデックスを第2の次元のサイズと乗じて中間値を取得することと、中間値に第2のサブビームインデックスを加算してビームインデックスを取得することとを含む。
【０１５６】
値識別器835は、ビームインデックスの集合のうちの第1のビームインデックスと関連付けられる第1の値を決定し(たとえば、ビームインデックスの集合は、選択されたビームの集合の選択されたビームの数に等しい数のビームインデックスを含む)、第1の値が第1のテーブルの第1のインデックス値に対応し、1つまたは複数の追加のテーブルに基づいて、ビームインデックスの集合のうちの1つまたは複数の追加のビームインデックスと関連付けられる追加の値を決定し得る。いくつかの場合、第1の値は第1のビームインデックスに等しい。いくつかの場合、1つまたは複数の追加のビームインデックスに対する追加の値は、1つまたは複数の追加のテーブルの先行するテーブルおよび現在のテーブルに基づく。
【０１５７】
合成インデックス構成要素840は、第1の値と追加の値のうちの1つまたは複数を加算して合成インデックス値を決定し、選択されるビームの集合を示す合成インデックス値を基地局に送信し得る。
【０１５８】
送信機820は、デバイスの他の構成要素によって生成された信号を送信し得る。いくつかの例では、送信機820は、トランシーバモジュールの中で受信機810と併置され得る。たとえば、送信機820は、図10を参照して説明されるように、トランシーバ1035の態様の例であり得る。送信機820は、単一のアンテナまたはアンテナのセットを利用し得る。
【０１５９】
図9は、本開示の態様による、ビーム選択を示すためのスケーラブルプロセスをサポートするUEビーム指示モジュール915のブロック図900を示す。UEビーム指示モジュール915は、図7、図8、および図10を参照して説明されたUEビーム指示モジュール715、UEビーム指示モジュール815、またはUEビーム指示モジュール1015の態様の例であり得る。UEビーム指示モジュール915は、基準信号構成要素920、ビームインデックス識別器925、値識別器930、合成インデックス構成要素935、テーブル生成構成要素940、テーブル選択構成要素950、構成 構成要素945、サブビームインデックス識別器955、およびビーム選択構成要素960を含み得る。これらのモジュールの各々は、(たとえば、1つまたは複数のバスを介して)互いと直接または間接的に通信し得る。
【０１６０】
基準信号構成要素920は、基地局から、基地局の1つまたは複数のアンテナポートと関連付けられる基準信号の集合を受信し得る。いくつかの場合、基準信号の集合は、ビームフォーミングされた送信またはビームフォーミングされていない送信において受信される。いくつかの場合、基準信号構成要素920は、CSIを報告するためのコードブックのコードブックタイプの構成を受信することができ、ビームインデックスの集合を特定することは、コードブックタイプ(たとえば、および/または基準信号の集合または1つまたは複数のアンテナポートのうちの少なくとも1つ)に基づくことがある。たとえば、ビームインデックスの特定される集合は、構成されるコードブックタイプがビーム選択コードブック(たとえば、タイプIIコードブック)である場合はコードブックの符号語インデックスに対応し、または、構成されるコードブックタイプがポート選択コードブック(たとえば、タイプIIポート選択コードブック)である場合はアンテナポートインデックスに対応し得る。いくつかの例では、ビーム選択コードブックの各符号語はベースシーケンスの例であることがあり、ビーム選択コードブックは直交ベースシーケンスの1つまたは複数の集合を含むことがある。
【０１６１】
ビームインデックス識別器925は、基地局に報告するための選択されたビームの集合を特定し得る。いくつかの例では、ビームインデックス識別器925は、基準信号の集合、1つまたは複数のアンテナポート、またはこれらの組合せに基づいて、ビームインデックスの集合を特定することができ、ビームインデックスの集合は、選択されたビームの数に等しい数のビームインデックスを含む。いくつかの場合、ビームインデックスの集合の各々の追加のビームインデックスは、以前の追加のビームインデックスに関して昇順で増大する。いくつかの場合、ビームインデックス識別器925は、第1のサブビームインデックスおよび第2のサブビームインデックスに基づいてビームインデックスを計算し得る。たとえば、ビームインデックスを計算することはさらに、第1のサブビームインデックスを第2の次元のサイズと乗じて中間値を取得することと、中間値に第2のサブビームインデックスを加算してビームインデックスを取得することとを含み得る。
【０１６２】
値識別器930は、ビームインデックスの集合のうちの第1のビームインデックスと関連付けられる第1の値を決定することができ、第1の値は第1のテーブルの第1のインデックス値に対応し、ビームインデックスの集合は、選択されたビームの集合の選択されたビームの数に等しい数のビームインデックスを含む。値識別器930はさらに、1つまたは複数の追加のテーブルに基づいて、ビームインデックスの集合のうちの1つまたは複数の追加のビームインデックスと関連付けられる追加の値を決定し得る。いくつかの場合、第1の値は第1のビームインデックスに等しい。いくつかの場合、1つまたは複数のビームインデックスに対する追加の値は、追加のテーブルの現在のテーブルに基づく。値識別器930は、現在のテーブルから、ビームインデックスの集合のうちのある追加のビームインデックスと関連付けられる入力値を特定することができ、追加の値は入力値に等しい。他の場合は、1つまたは複数の追加のビームインデックスに対する追加の値は、1つまたは複数の追加のテーブルの先行するテーブルおよび現在のテーブルに基づく。
【０１６３】
合成インデックス構成要素935は、第1の値と追加の値のうちの1つまたは複数とを加算して合成インデックス値を決定し、選択されるビームの集合を示す合成インデックス値を基地局に送信し得る。
【０１６４】
テーブル生成構成要素940は、ビームインデックスの集合のうちのある追加のビームインデックスより1小さい先行するビームインデックスを特定し得る。テーブル生成構成要素940は次いで、先行するテーブルから、先行するビームインデックスと関連付けられる第1の入力値を特定し、現在のテーブルから、先行するビームインデックスと関連付けられる第2の入力値を特定することができ、第1の入力値と第2の入力値を合計して追加のビームインデックスに対する追加の値を取得することができる。
【０１６５】
構成 構成要素945は、選択のためのビームの構成される数を示す構成を基地局から受信することができ、選択されたビームの数は、選択のためのビームの構成される数に等しい。たとえば、選択のためのビームの構成される数は、アンテナポートの数の構成に基づき得る。いくつかの場合、構成 構成要素945は、選択のためのビームの構成される数を示す第1の構成を基地局から受信し、選択のためのビームの構成される数より大きい選択のためのビームの第2の構成される数を示す第2の構成を基地局から受信することができる。加えて、または代わりに、構成 構成要素945は、アンテナポートの第1の構成される数、ビームの構成される数、またはこれらの組合せを示す第1の構成を基地局から受信し、アンテナポートの第2の構成される数、ビームの構成される数、またはビームの第1の構成される数より大きいそれらの組合せを示す第2の構成を基地局から受信することができる。
【０１６６】
テーブル選択構成要素950は、選択のためのビームの構成される数に等しい数のテーブルを含むテーブルの第1の集合を選択することができ、第1の値および1つまたは複数の追加の値を決定することはテーブルの第1の集合に基づく。テーブル選択構成要素950は、選択のためのビームの第2の構成される数に等しい第2の数のテーブルを含むテーブルの第2の集合を追加で選択することができ、テーブルの第1の集合はテーブルの第2の集合の部分集合である。同様に、テーブル選択構成要素950は、アンテナポートの第1の構成される数、ビームの構成される数、またはこれらの組合せに基づいて、テーブルの集合の各テーブルに対するアクティブなエントリの第1の集合を選択することができ、アンテナポートの第2の構成される数、ビームの構成される数、またはこれらの組合せに基づいて、各テーブルに対するアクティブなエントリの第2の集合を選択することができ、アクティブなエントリの第1の集合はアクティブなエントリの第2の集合の部分集合である。いくつかの場合、第1の値と追加の値のうちの1つまたは複数とを決定することは、メモリに記憶されている1つまたは複数の追加のテーブルを含むテーブルの集合に基づく。1つまたは複数の追加のテーブルの各々に記憶されている値の集合は、第1のテーブルの先行するテーブルまたは1つまたは複数の追加のテーブルに記憶されている値の先行する集合に基づき得る。たとえば、値の集合のうちのある値は、値の集合の先行する値と値の先行する集合の先行するテーブル値との合計であることがあり、先行する値および先行するテーブル値は同じビームインデックスと関連付けられることがある。いくつかの場合、テーブルの集合の各テーブル(たとえば、第1のテーブルおよび1つまたは複数の追加のテーブル)は同じ長さを有し、各テーブルに対するアクティブなエントリの数は、アンテナポートの構成される数、ビームの構成される数、またはこれらの組合せに基づく。いくつかの場合、アクティブなエントリの数は、CSI-RSを送信するアンテナポートの構成される数、ビームの構成される数、またはこれらの組合せに基づく。
【０１６７】
サブビームインデックス識別器955は、ビームインデックスの集合のうちのあるビームインデックスを特定し得る。たとえば、サブビームインデックス識別器955は、第1の次元に対応する第1のサブビームインデックスと、第2の次元に対応する第2のサブビームインデックスとを特定し得る。
【０１６８】
ビーム選択構成要素960は、選択のためのビームの構成される数に基づいてビームインデックスの集合を選択し得る。いくつかの場合、ビーム選択構成要素960は、基準信号の集合に基づいてコードブックから1つまたは複数のビームを選択することができ、ビームインデックスの集合を特定することは選択された1つまたは複数のビームに基づく。いくつかの場合、選択のために使用されるコードブックは、アンテナポートの数の構成に基づき得る。
【０１６９】
図10は、本開示の態様による、ビーム選択を示すためのスケーラブルプロセスをサポートするデバイス1005を含むシステム1000の図を示す。デバイス1005は、たとえば、図1から図5、図7、および図8を参照して上で説明されたようなワイヤレスデバイス705、ワイヤレスデバイス805、もしくはUE115の構成要素の例であるか、またはそれらを含むことがある。デバイス1005は、UEビーム指示モジュール1015と、プロセッサ1020と、メモリ1025と、ソフトウェア1030と、トランシーバ1035と、アンテナ1040と、I/Oコントローラ1045とを含む、通信を送信および受信するための構成要素を含む、双方向の音声およびデータ通信のための構成要素を含み得る。これらの構成要素は、1つまたは複数のバス(たとえば、バス1010)を介して電子的に通信することができる。デバイス1005は、1つまたは複数の基地局105とワイヤレスに通信することができる。
【０１７０】
プロセッサ1020は、インテリジェントハードウェアデバイス(たとえば、汎用プロセッサ、DSP、中央処理装置(CPU)、マイクロコントローラ、ASIC、FPGA、プログラマブル論理デバイス、個別のゲートもしくはトランジスタ論理構成要素、個別のハードウェア構成要素、またはこれらの任意の組合せ)を含み得る。いくつかの場合、プロセッサ1020は、メモリコントローラを使用してメモリアレイを動作させるように構成され得る。他の場合は、メモリコントローラはプロセッサ1020に組み込まれ得る。プロセッサ1020は、様々な機能(たとえば、ビーム選択を示すためのスケーラブルプロセスをサポートする機能またはタスク)を実行するために、メモリに記憶されたコンピュータ可読命令を実行するように構成され得る。
【０１７１】
メモリ1025は、ランダムアクセスメモリ(RAM)と、読取り専用メモリ(ROM)とを含み得る。メモリ1025は、実行されると、プロセッサに、本明細書で説明される様々な機能を実行させる命令を含む、コンピュータ可読のコンピュータ実行可能ソフトウェア1030を記憶し得る。いくつかの場合、メモリ1025は、特に、周辺構成要素またはデバイスとの相互作用などの、基本的なハードウェアまたはソフトウェア動作を制御し得る基本入出力システム(BIOS)を含み得る。
【０１７２】
ソフトウェア1030は、ビーム選択を示すためのスケーラブルプロセスをサポートするためのコードを含む、本開示の態様を実装するためのコードを含み得る。ソフトウェア1030は、システムメモリまたは他のメモリなどの非一時的コンピュータ可読記録媒体に記憶され得る。いくつかの場合、ソフトウェア1030は、プロセッサによって直接実行可能ではないことがあるが、(たとえば、コンパイルされ実行されると)本明細書で説明された機能をコンピュータに実行させることができる。
【０１７３】
トランシーバ1035は、上で説明されたように、1つまたは複数のアンテナ、有線リンク、またはワイヤレスリンクを介して、双方向に通信することができる。たとえば、トランシーバ1035は、ワイヤレストランシーバを表すことがあり、別のワイヤレストランシーバと双方向に通信し得る。トランシーバ1035はまた、パケットを変調して変調されたパケットを送信のためにアンテナに提供するための、またアンテナから受信されたパケットを復調するための、モデムを含み得る。
【０１７４】
いくつかの場合、ワイヤレスデバイスは単一のアンテナ1040を含み得る。しかしながら、いくつかの場合、デバイスは、複数のワイヤレス送信を同時に送信または受信することが可能であり得る、2つ以上のアンテナ1040を有し得る。
【０１７５】
I/Oコントローラ1045は、デバイス1005のための入出力信号を管理することができる。I/Oコントローラ1045はまた、デバイス1005に組み込まれていない周辺装置を管理することができる。いくつかの場合、I/Oコントローラ1045は、外部周辺装置への物理的な接続またはポートを表し得る。いくつかの場合、I/Oコントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)、または別の既知のオペレーティングシステムなどのオペレーティングシステムを利用することができる。いくつかの場合、I/Oコントローラ1045は、モデム、キーボード、マウス、タッチスクリーン、または同様のデバイスを表すか、またはそれと対話することができる。いくつかの場合、I/Oコントローラ1045は、プロセッサの一部として実装され得る。いくつかの場合、ユーザは、I/Oコントローラ1045を介して、またはI/Oコントローラ1045によって制御されるハードウェア構成要素を介して、デバイス1005と対話することができる。
【０１７６】
図11は、本開示の態様による、ビーム選択を示すためのスケーラブルプロセスをサポートするワイヤレスデバイス1105のブロック図1100を示す。ワイヤレスデバイス1105は、本明細書で説明されるような基地局105の態様の例であり得る。ワイヤレスデバイス1105は、受信機1110、基地局ビーム指示モジュール1115、および送信機1120を含み得る。ワイヤレスデバイス1105は、プロセッサも含み得る。これらの構成要素の各々は、(たとえば、1つまたは複数のバスを介して)互いと通信していることがある。
【０１７７】
受信機1110は、パケット、ユーザデータ、または様々な情報チャネル(たとえば、制御チャネル、データチャネル、およびビーム選択を示すためのスケーラブルプロセスに関する情報など)と関連付けられる制御情報などの情報を受信することができる。情報はデバイスの他の構成要素に受け渡され得る。受信機1110は、図14を参照して説明されるトランシーバ1435の態様の例であり得る。受信機1110は、単一のアンテナまたはアンテナのセットを利用することができる。
【０１７８】
基地局ビーム指示モジュール1115は、図14を参照して説明される基地局ビーム指示モジュール1415の態様の例であり得る。基地局ビーム指示モジュール1115および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局ビーム指示モジュール1115および/またはその様々な下位構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示において説明される機能を実行するように設計されたそれらの任意の組合せによって実行され得る。基地局ビーム指示モジュール1115および/またはその様々な下位構成要素のうちの少なくともいくつかは、機能の一部が1つまたは複数の物理デバイスによって異なる物理的位置において実装されるように分散されることを含めて、様々な場所に物理的に位置し得る。いくつかの例では、基地局ビーム指示モジュール1115および/またはその様々な下位構成要素のうちの少なくともいくつかは、本開示の様々な態様による別個のおよび異なる構成要素であり得る。他の例では、基地局ビーム指示モジュール1115、および/またはその様々な下位構成要素のうちの少なくともいくつかは、限定はされないが、I/O構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わされ得る。
【０１７９】
基地局ビーム指示モジュール1115は、UEから、選択されるビームの集合を示す合成インデックス値を受信し得る。基地局ビーム指示モジュール1115はさらに、現在のテーブルおよび合成インデックス値に基づいて選択されるビームの集合のうちの第1の選択されるビームに対する最大のビームインデックスを決定し、1つまたは複数の追加のテーブルおよび更新された合成インデックス値に基づいて、選択されるビームの集合のうちの各々の追加の選択されるビームに対する追加のビームインデックスを決定し得る。
【０１８０】
送信機1120は、デバイスの他の構成要素によって生成された信号を送信し得る。いくつかの例では、送信機1120は、トランシーバモジュールの中で受信機1110と併置され得る。たとえば、送信機1120は、図14を参照して説明されるトランシーバ1435の態様の例であり得る。送信機1120は、単一のアンテナまたはアンテナのセットを利用し得る。
【０１８１】
図12は、本開示の態様による、ビーム選択を示すためのスケーラブルプロセスをサポートするワイヤレスデバイス1205のブロック図1200を示す。ワイヤレスデバイス1205は、図11を参照して説明されたようなワイヤレスデバイス1105または基地局105の態様の例であり得る。ワイヤレスデバイス1205は、受信機1210、基地局ビーム指示モジュール1215、および送信機1220を含み得る。ワイヤレスデバイス1205は、プロセッサも含み得る。これらの構成要素の各々は、(たとえば、1つまたは複数のバスを介して)互いに通信していることがある。
【０１８２】
受信機1210は、パケット、ユーザデータ、または様々な情報チャネル(たとえば、制御チャネル、データチャネル、およびビーム選択を示すためのスケーラブルプロセスに関する情報など)と関連付けられる制御情報などの情報を受信することができる。情報はデバイスの他の構成要素に受け渡され得る。受信機1210は、図14を参照して説明されるトランシーバ1435の態様の例であり得る。受信機1210は、単一のアンテナまたはアンテナのセットを利用することができる。
【０１８３】
基地局ビーム指示モジュール1215は、図14を参照して説明される基地局ビーム指示モジュール1415の態様の例であり得る。基地局ビーム指示モジュール1215はまた、基準信号構成要素1225と、合成インデックス構成要素1230と、ビームインデックス識別器1235とを含み得る。
【０１８４】
基準信号構成要素1225は、UEに、1つまたは複数のアンテナポートと関連付けられる基準信号の集合を送信し得る。いくつかの場合、基準信号の集合は、ビームフォーミングされた送信またはビームフォーミングされていない送信において送信される。
【０１８５】
合成インデックス構成要素1230は、UEから、選択されるビームの集合を示す合成インデックス値を受信し得る。いくつかの場合、合成インデックス構成要素1230は加えて、UEから、選択されるビームの第2の集合を示す第2の合成インデックス値を受信することができ、選択されるビームの第2の集合の数は、選択されるビームの集合の数より大きい。
【０１８６】
ビームインデックス識別器1235は、現在のテーブルおよび合成インデックス値に基づいて選択されるビームの集合のうちの第1の選択されるビームに対する最大のビームインデックスを決定することができ、1つまたは複数の追加のテーブルおよび更新された合成インデックス値に基づいて、選択されるビームの集合のうちの各々の追加の選択されるビームに対する追加のビームインデックスを決定することができる。いくつかの場合、各々の追加のビームインデックスは、以前の追加のビームインデックスに関して降順で減少する。
【０１８７】
送信機1220は、デバイスの他の構成要素によって生成された信号を送信し得る。いくつかの例では、送信機1220は、トランシーバモジュールの中で受信機1210と併置され得る。たとえば、送信機1220は、図14を参照して説明されるトランシーバ1435の態様の例であり得る。送信機1220は、単一のアンテナまたはアンテナのセットを利用し得る。
【０１８８】
図13は、本開示の態様による、ビーム選択を示すためのスケーラブルプロセスをサポートする基地局ビーム指示モジュール1315のブロック図1300を示す。基地局ビーム指示モジュール1315は、図11、図12、および図14を参照して説明される基地局ビーム指示モジュール1115、1215、または1415の態様の例であり得る。基地局ビーム指示モジュール1315は、基準信号構成要素1320、合成インデックス構成要素1325、ビームインデックス識別器1330、反復的インデクシング構成要素1335、テーブル選択構成要素1340、サブビームインデックス識別器1345、およびビーム選択構成要素1350を含み得る。これらのモジュールの各々は、(たとえば、1つまたは複数のバスを介して)互いと直接または間接的に通信し得る。
【０１８９】
基準信号構成要素1320は、UEに、1つまたは複数のアンテナポートと関連付けられる基準信号の集合を送信し得る。いくつかの場合、基準信号の集合は、ビームフォーミングされた送信またはビームフォーミングされていない送信において送信される。基準信号構成要素1320は、UEに、(たとえば、CSI報告のための)コードブックのコードブックタイプの構成を送信し得る。たとえば、選択されるビームの集合のうちの各々の追加の選択されるビームに対する最大のビームインデックスおよび追加のビームインデックスは、構成されるコードブックタイプがビーム選択コードブック(たとえば、タイプIIコードブック)である場合はコードブックの符号語インデックスに対応し、または、構成されるコードブックタイプがポート選択コードブック(たとえば、タイプIIポート選択コードブック)である場合はアンテナポートインデックスに対応し得る。いくつかの例では、ビーム選択コードブックの各符号語はベースシーケンスの例であることがあり、ビーム選択コードブックは直交ベースシーケンスの1つまたは複数の集合を含むことがある。
【０１９０】
合成インデックス構成要素1325は、UEから、選択されるビームの集合を示す合成インデックス値を受信することができ、いくつかの場合、UEから、選択されるビームの第2の集合を示す第2の合成インデックス値を受信することができ、選択されるビームの第2の集合の数は、選択されるビームの集合の数より大きい。
【０１９１】
ビームインデックス識別子1330は、現在のテーブルおよび合成インデックス値に基づいて選択されるビームの集合のうちの第1の選択されるビームに対する最大のビームインデックスを決定することができ、1つまたは複数の追加のテーブルおよび更新された合成インデックス値に基づいて、選択されるビームの集合の各々の追加の選択されるビームに対する追加のビームインデックスを決定することができる。いくつかの場合、各々の追加のビームインデックスは、以前の追加のビームインデックスに関して降順で減少する。いくつかの場合、ビームインデックス識別器1330は、アンテナポートの第1および第2の構成される数、ビームの第1および第2の構成される数、またはこれらの組合せを特定することができ、アンテナポートの第2の構成される数またはビームの数は、アンテナポートの第1の構成される数またはビームの数より大きい。
【０１９２】
反復的インデクシング構成要素1335は、合成インデックス値以下である現在のテーブルの最大の値を特定することができ、最大のビームインデックスが特定される最大の値に対応するインデックスに設定され、次いで、特定された最大の値を合成インデックス値から差し引くことによって合成インデックス値を更新することができる。反復的インデクシング構成要素1335はさらに、更新された合成インデックス値以下である1つまたは複数の追加のテーブルの次のテーブルの追加の最大の値を特定することができ、追加のビームインデックスが特定される追加の最大の値に対応する追加のインデックスに設定され、それに従って、特定された追加の最大の値を更新される合成インデックス値から差し引くことによって更新される合成インデックス値を更新することができる。いくつかの場合、選択されるビームの集合のうちの最後の選択されるビームに対する最小のビームインデックスは、最後の更新される合成インデックス値に等しい。
【０１９３】
いくつかの場合、現在のテーブルおよび1つまたは複数の追加のテーブルは、テーブル選択構成要素1340によってメモリに記憶されているテーブルの集合から選択される。テーブルの集合は、第1のテーブルおよび1つまたは複数の後続のテーブルを含むことがあり、1つまたは複数の後続のテーブルの各々に記憶されている値の集合は、テーブルの集合の先行するテーブルに記憶されている値の先行する集合に少なくとも一部基づく。たとえば、値の集合のうちのある値は、値の集合の先行する値と値の先行する集合の先行するテーブル値との合計であることがあり、先行する値および先行するテーブル値は同じビームインデックスと関連付けられることがある。テーブル選択構成要素1340は、選択されるビームの集合の数に等しい数のテーブルを含むテーブルの第1の集合を選択することができ、各々の追加の選択されるビームに対する最大のビームインデックスおよび追加のビームインデックスを決定することがテーブルの第1の集合に基づき、選択されるビームの第2の集合の数に等しい第2の数のテーブルを含むテーブルの第2の集合を選択することができ、テーブルの第1の集合がテーブルの第2の集合の部分集合である。同様に、テーブル選択構成要素1340は、アンテナポートの第1の構成される数、ビームの構成される数、またはこれらの組合せに基づいて、メモリに記憶されているテーブルの集合の各テーブルに対するアクティブなエントリの第1の集合を選択することができ、アンテナポートの第2の構成される数、ビームの構成される数、またはこれらの組合せに少なくとも一部基づいて、テーブルの集合の各テーブルに対するアクティブなエントリの第2の集合を選択することができ、アクティブなエントリの第1の集合はアクティブなエントリの第2の集合の部分集合であり得る。いくつかの場合、メモリに記憶されているテーブルの集合の各テーブルは同じ長さを含み、各テーブルに対するアクティブなエントリの数は、アンテナポートの構成される数、ビームの構成される数、またはこれらの組合せに基づく。いくつかの場合、メモリに記憶されているテーブルの集合の各テーブルは、CSI-RSを送信するアンテナポートの構成される数、ビームの構成される数、またはこれらの組合せに基づく数のアクティブなエントリを含む。
【０１９４】
サブビームインデックス識別器1345は、ビームインデックスに対して、第1の次元に対応する第1のサブビームインデックスと、第2の次元に対応する第2のサブビームインデックスとを計算し得る。いくつかの場合、第1のサブビームインデックスを計算することは、ビームインデックスを第2の次元のサイズで割って中間値を取得することと、中間値を最も近い整数に切り下げて第1のサブビームインデックスを取得することとを含む。いくつかの場合、第2のサブビームインデックスを計算することは、ビームインデックスを第2の次元のサイズで割って第2のサブビームインデックスを取得することを含み、第2のサブビームインデックスはこの除算の剰余である。
【０１９５】
ビーム選択構成要素1350は、コードブックおよび最大のビームインデックスおよび各々の追加のビームインデックスに基づいて、選択されるビームの集合を特定し得る。いくつかの場合、特定のために使用されるコードブックは、アンテナポートの数の構成に基づく。
【０１９６】
図14は、本開示の態様による、ビーム選択を示すためのスケーラブルプロセスをサポートするデバイス1405を含むシステム1400の図を示す。デバイス1405は、たとえば、図1から図4、および図6を参照して上で説明されたような基地局105の構成要素の例であることがあり、またはそれらを含むことがある。デバイス1405は、基地局ビーム指示モジュール1415と、プロセッサ1420と、メモリ1425と、ソフトウェア1430と、トランシーバ1435と、アンテナ1440と、ネットワーク通信マネージャ1445と、局間通信マネージャ1450とを含む、通信を送信および受信するための構成要素を含む、双方向の音声およびデータ通信のための構成要素を含み得る。これらの構成要素は、1つまたは複数のバス(たとえば、バス1410)を介して電子的に通信することができる。デバイス1405は、1つまたは複数のUE115とワイヤレスに通信し得る。
【０１９７】
プロセッサ1420は、インテリジェントハードウェアデバイス(たとえば、汎用プロセッサ、DSP、CPU、マイクロコントローラ、ASIC、FPGA、プログラム可能論理素子、個別ゲートもしくはトランジスタ論理構成要素、個別ハードウェア構成要素、またはそれらの任意の組合せ)を含み得る。いくつかの場合、プロセッサ1420は、メモリコントローラを使用してメモリアレイを動作させるように構成され得る。他の場合は、メモリコントローラはプロセッサ1420に組み込まれ得る。プロセッサ1420は、様々な機能(たとえば、ビーム選択を示すためのスケーラブルプロセスをサポートする機能またはタスク)を実行するために、メモリに記憶されたコンピュータ可読命令を実行するように構成され得る。
【０１９８】
メモリ1425は、RAMおよびROMを含み得る。メモリ1425は、実行されると、プロセッサに本明細書で説明される様々な機能を実行させる命令を含むコンピュータ可読のコンピュータ実行可能ソフトウェア1430を記憶し得る。いくつかの場合、メモリ1425は、とりわけ、周辺構成要素またはデバイスとの相互作用などの、基本的なハードウェアまたはソフトウェア動作を制御し得る、BIOSを含み得る。
【０１９９】
ソフトウェア1430は、ビーム選択を示すためのスケーラブルプロセスをサポートするためのコードを含む、本開示の態様を実装するためのコードを含み得る。ソフトウェア1430は、システムメモリまたは他のメモリなどの非一時的コンピュータ可読記録媒体に記憶され得る。いくつかの場合、ソフトウェア1430は、プロセッサによって直接的に実行可能でないことがあるが、(たとえば、コンパイルされ実行されると)コンピュータに本明細書で説明される機能を実行させ得る。
【０２００】
トランシーバ1435は、上で説明されたように、1つまたは複数のアンテナ、有線リンク、またはワイヤレスリンクを介して、双方向に通信することができる。たとえば、トランシーバ1435は、ワイヤレストランシーバを表すことがあり、別のワイヤレストランシーバと双方向に通信することがある。トランシーバ1435はまた、パケットを変調して変調されたパケットを送信のためにアンテナに提供するための、またアンテナから受信されたパケットを復調するための、モデムを含み得る。
【０２０１】
いくつかの場合、ワイヤレスデバイスは単一のアンテナ1440を含み得る。しかしながら、いくつかの場合、デバイスは、複数のワイヤレス送信を同時に送信または受信することが可能であり得る2つ以上のアンテナ1440を有し得る。
【０２０２】
ネットワーク通信マネージャ1445は、(たとえば、1つまたは複数の有線バックホールリンクを介した)コアネットワークとの通信を管理し得る。たとえば、ネットワーク通信マネージャ1445は、1つまたは複数のUE115などのクライアントデバイスのためのデータ通信の転送を管理し得る。
【０２０３】
局間通信マネージャ1450は、他の基地局105との通信を管理することがあり、他の基地局105と協調してUE115との通信を制御するためのコントローラまたはスケジューラを含むことがある。たとえば、局間通信マネージャ1450は、ビームフォーミングまたはジョイント送信などの様々な干渉緩和技法のためのUE115への送信のためのスケジューリングを協調させ得る。いくつかの例では、局間通信マネージャ1450は、基地局105間の通信を行うために、LTE/LTE-Aワイヤレス通信ネットワーク技術内のX2インターフェースを提供し得る。
【０２０４】
図15は、本開示の態様による、ビーム選択を示すためのスケーラブルプロセスのための方法1500を示すフローチャートを示す。方法1500の動作は、本明細書で説明されたように、UE115またはその構成要素によって実施され得る。たとえば、方法1500の動作は、図7〜図10を参照して説明されたようなUEビーム指示モジュールによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２０５】
ブロック1505において、UE115は、基地局に報告するための選択されたビームの集合を特定し得る。ブロック1505の動作は、本明細書で説明される方法に従って実行され得る。いくつかの例では、ブロック1505の動作の態様は、図7〜図10を参照して説明されたような、ビームインデックス識別器によって実行され得る。
【０２０６】
ブロック1510において、UE115は、ビームインデックスの集合のうちの第1のビームインデックスと関連付けられる第1の値を決定することができ、第1の値は第1のテーブルの第1のインデックス値に対応し、ビームインデックスの集合は、選択されたビームの集合の選択されたビームの数に等しい数のビームインデックスを備える。ブロック1510の動作は、本明細書で説明される方法に従って実行され得る。いくつかの例では、ブロック1510の動作の態様は、図7〜図10を参照して説明されたような、値識別器によって実行され得る。
【０２０７】
ブロック1515において、UE115は、1つまたは複数の追加のテーブルに少なくとも一部基づいて、ビームインデックスの集合のうちの1つまたは複数の追加のビームインデックスと関連付けられる追加の値を決定し得る。ブロック1515の動作は、本明細書で説明される方法に従って実行され得る。いくつかの例では、ブロック1515の動作の態様は、図7〜図10を参照して説明されたような、値識別器によって実行され得る。
【０２０８】
ブロック1520において、UE115は、第1の値と追加の値のうちの1つまたは複数とを加算して、合成インデックス値を決定し得る。ブロック1520の動作は、本明細書で説明される方法に従って実行され得る。いくつかの例では、ブロック1520の動作の態様は、図7〜図10を参照して説明されたような合成インデックス構成要素によって実行され得る。
【０２０９】
ブロック1525において、UE115は、基地局に、選択されるビームの集合を示す合成インデックス値を送信し得る。ブロック1525の動作は、本明細書で説明される方法に従って実行され得る。いくつかの例では、ブロック1525の動作の態様は、図7〜図10を参照して説明されたような合成インデックス構成要素によって実行され得る。
【０２１０】
図16は、本開示の態様による、ビーム選択を示すためのスケーラブルプロセスのための方法1600を示すフローチャートを示す。方法1600の動作は、本明細書で説明されたように、UE115またはその構成要素によって実施され得る。たとえば、方法1600の動作は、図7〜図10を参照して説明されたようなUEビーム指示モジュールによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２１１】
ブロック1605において、UE115は、基地局から、基地局の1つまたは複数のアンテナポートと関連付けられる基準信号の集合を受信し得る。ブロック1605の動作は、本明細書で説明される方法に従って実行され得る。いくつかの例では、ブロック1605の動作の態様は、図7〜図10を参照して説明されたような、基準信号構成要素によって実行され得る。
【０２１２】
ブロック1610において、UE115は、基準信号の集合に少なくとも一部基づいてビームインデックスの集合を特定することができ、ビームインデックスの集合は、選択されるビームの数に等しい数のビームインデックスを備える。ブロック1610の動作は、本明細書で説明される方法に従って実行され得る。いくつかの例では、ブロック1610の動作の態様は、図7〜図10を参照して説明されたような、ビームインデックス識別器によって実行され得る。
【０２１３】
ブロック1615において、UE115は、ビームインデックスの集合のうちの第1のビームインデックスと関連付けられる第1の値を決定することができ、第1の値は第1のテーブルの第1のインデックス値に対応する。ブロック1615の動作は、本明細書で説明される方法に従って実行され得る。いくつかの例では、ブロック1615の動作の態様は、図7〜図10を参照して説明されたような、値識別器によって実行され得る。
【０２１４】
UE115は、1つまたは複数の追加のテーブルに少なくとも一部基づいて、ビームインデックスの集合のうちの1つまたは複数の追加のビームインデックスと関連付けられる追加の値を決定し得る。いくつかの場合、1つまたは複数の追加のビームインデックスに対する追加の値は、1つまたは複数の追加のテーブルの先行するテーブルおよび現在のテーブルに少なくとも一部基づく。ブロック1620において、UE115は、ビームインデックスの集合のうちのある追加のビームインデックスより1小さい先行するビームインデックスを特定し得る。ブロック1620の動作は、本明細書で説明される方法に従って実行され得る。いくつかの例では、ブロック1620の動作の態様は、図7〜図10を参照して説明されたような、テーブル生成構成要素によって実行され得る。
【０２１５】
ブロック1625において、UE115は、先行するテーブルから、先行するビームインデックスと関連付けられる第1の入力値を特定し得る。ブロック1625の動作は、本明細書で説明される方法に従って実行され得る。いくつかの例では、ブロック1625の動作の態様は、図7〜図10を参照して説明されたような、テーブル生成構成要素によって実行され得る。
【０２１６】
ブロック1630において、UE115は、現在のテーブルから、先行するビームインデックスと関連付けられる第2の入力値を特定し得る。ブロック1630の動作は、本明細書で説明される方法に従って実行され得る。いくつかの例では、ブロック1630の動作の態様は、図7〜図10を参照して説明されたような、テーブル生成構成要素によって実行され得る。
【０２１７】
ブロック1635において、UE115は、第1の入力値および第2の入力値を合計して、追加のビームインデックスに対する追加の値を取得し得る。ブロック1635の動作は、本明細書で説明される方法に従って実行され得る。いくつかの例では、ブロック1635の動作の態様は、図7〜図10を参照して説明されたような、テーブル生成構成要素によって実行され得る。
【０２１８】
UE115は、ビームインデックスの集合のうちの1つまたは複数の追加のビームインデックスと関連付けられる各々の追加の値に対して上記の処理を実行し得る。ブロック1640において、UE115は、第1の値および追加の値のうちの1つまたは複数を加算して、合成インデックス値を決定し得る。ブロック1640の動作は、本明細書で説明される方法に従って実行され得る。いくつかの例では、ブロック1640の動作の態様は、図7〜図10を参照して説明されたような合成インデックス構成要素によって実行され得る。
【０２１９】
ブロック1645において、UE115は、基地局に、合成インデックス値を送信し得る。ブロック1645の動作は、本明細書で説明される方法に従って実行され得る。いくつかの例では、ブロック1645の動作の態様は、図7〜図10を参照して説明されたような合成インデックス構成要素によって実行され得る。
【０２２０】
図17は、本開示の態様による、ビーム選択を示すためのスケーラブルプロセスのための方法1700を示すフローチャートを示す。方法1700の動作は、本明細書で説明されたように、UE115またはその構成要素によって実施され得る。たとえば、方法1700の動作は、図7〜図10を参照して説明されたようなUEビーム指示モジュールによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２２１】
ブロック1705において、UE115は、選択のためのビームの数またはアンテナポートの構成される数を示す第1の構成を基地局から受信し得る。ブロック1705の動作は、本明細書で説明される方法に従って実行され得る。いくつかの例では、ブロック1705の動作の態様は、図7〜図10を参照して説明されたような、構成 構成要素によって実行され得る。
【０２２２】
ブロック1710において、UE115は、基地局から、基地局の1つまたは複数のアンテナポートと関連付けられる基準信号の集合を受信し得る。ブロック1710の動作は、本明細書で説明される方法に従って実行され得る。いくつかの例では、ブロック1710の動作の態様は、図7〜図10を参照して説明されたような、基準信号構成要素によって実行され得る。
【０２２３】
ブロック1715において、UE115は、基準信号または1つまたは複数のアンテナポートの集合に少なくとも一部基づいてビームインデックスの集合を特定することができ、ビームインデックスの集合は、選択されるビームの数に等しい数のビームインデックスを備える。ブロック1715の動作は、本明細書で説明される方法に従って実行され得る。いくつかの例では、ブロック1715の動作の態様は、図7〜図10を参照して説明されたような、ビームインデックス識別器によって実行され得る。
【０２２４】
ブロック1720において、UE115は、選択のためのビームの数またはアンテナポートの構成される数に等しい数のテーブルを備えるテーブルの第1の集合を選択することができ、第1の値および1つまたは複数の追加の値を決定することは、テーブルの第1の集合に少なくとも一部基づく。ブロック1720の動作は、本明細書で説明される方法に従って実行され得る。いくつかの例では、ブロック1720の動作の態様は、図7〜図10を参照して説明されたような、テーブル選択構成要素によって実行され得る。
【０２２５】
ブロック1725において、UE115は、ビームインデックスの集合のうちの第1のビームインデックスと関連付けられる第1の値を(たとえば、第1のテーブルに基づいて)決定し得る。いくつかの場合、第1の値と1つまたは複数の追加の値とを決定することは、メモリに記憶されている1つまたは複数の追加のテーブルを含むテーブルの集合に少なくとも一部基づく。ブロック1725の動作は、本明細書で説明される方法に従って実行され得る。いくつかの例では、ブロック1725の動作の態様は、図7〜図10を参照して説明されたような、値識別器によって実行され得る。
【０２２６】
ブロック1730において、UE115は、1つまたは複数の追加のテーブルに少なくとも一部基づいて、ビームインデックスの集合のうちの1つまたは複数の追加のビームインデックスと関連付けられる追加の値を決定し得る。ブロック1730の動作は、本明細書で説明される方法に従って実行され得る。いくつかの例では、ブロック1730の動作の態様は、図7〜図10を参照して説明されたような、値識別器によって実行され得る。
【０２２７】
ブロック1735において、UE115は、第1の値と追加の値のうちの1つまたは複数とを加算して、合成インデックス値を決定し得る。ブロック1735の動作は、本明細書で説明される方法に従って実行され得る。いくつかの例では、ブロック1735の動作の態様は、図7〜図10を参照して説明されたような合成インデックス構成要素によって実行され得る。
【０２２８】
ブロック1740において、UE115は、基地局に、合成インデックス値を送信し得る。ブロック1740の動作は、本明細書で説明される方法に従って実行され得る。いくつかの例では、ブロック1740の動作の態様は、図7〜図10を参照して説明されたような合成インデックス構成要素によって実行され得る。
【０２２９】
ブロック1745において、UE115は、選択のためのビームの数またはアンテナポートの構成される数より大きい、選択のためのビームの第2の数またはアンテナポートの構成される数を示す第2の構成を基地局から受信し得る。ブロック1745の動作は、本明細書で説明される方法に従って実行され得る。いくつかの例では、ブロック1745の動作の態様は、図7〜図10を参照して説明されたような、構成 構成要素によって実行され得る。
【０２３０】
ブロック1750において、UE115は、選択のためのビームの第2の数またはアンテナポートの構成される数に等しい第2の数のテーブルを備えるテーブルの第2の集合を選択することができ、テーブルの第1の集合はテーブルの第2の集合の部分集合である。ブロック1750の動作は、本明細書で説明される方法に従って実行され得る。いくつかの例では、ブロック1750の動作の態様は、図7〜図10を参照して説明されたような、テーブル選択構成要素によって実行され得る。
【０２３１】
図18は、本開示の態様による、ビーム選択を示すためのスケーラブルプロセスのための方法1800を示すフローチャートを示す。方法1800の動作は、本明細書で説明されたように、UE115またはその構成要素によって実施され得る。たとえば、方法1800の動作は、図7〜図10を参照して説明されたようなUEビーム指示モジュールによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２３２】
ブロック1805において、UE115は、基地局から、基地局の1つまたは複数のアンテナポートと関連付けられる基準信号の集合を受信し得る。ブロック1805の動作は、本明細書で説明される方法に従って実行され得る。いくつかの例では、ブロック1805の動作の態様は、図7〜図10を参照して説明されたような、基準信号構成要素によって実行され得る。
【０２３３】
ブロック1810において、UE115は、第1の次元に対応する第1のサブビームインデックスを特定し得る。ブロック1810の動作は、本明細書で説明される方法に従って実行され得る。いくつかの例では、ブロック1810の動作の態様は、図7〜図10を参照して説明されたような、サブビームインデックス識別器によって実行され得る。
【０２３４】
ブロック1815において、UE115は、第2の次元に対応する第2のサブビームインデックスを特定し得る。ブロック1815の動作は、本明細書で説明される方法に従って実行され得る。いくつかの例では、ブロック1815の動作の態様は、図7〜図10を参照して説明されたような、サブビームインデックス識別器によって実行され得る。
【０２３５】
ブロック1820において、UE115は、第1のサブビームインデックスおよび第2のサブビームインデックスに少なくとも一部基づいてビームインデックスを計算し得る。ブロック1820の動作は、本明細書で説明される方法に従って実行され得る。いくつかの例では、ブロック1820の動作の態様は、図7〜図10を参照して説明されたような、ビームインデックス識別器によって実行され得る。
【０２３６】
ブロック1825において、UE115は、基準信号またはアンテナポートの集合に少なくとも一部基づいてビームインデックスの集合を特定することができ、ビームインデックスの集合は、選択されるビームの数に等しい数のビームインデックスを備える。UE115は、上記のサブビームインデックスの計算に従うことによって、ビームインデックスの集合を特定し得る。ブロック1825の動作は、本明細書で説明される方法に従って実行され得る。いくつかの例では、ブロック1825の動作の態様は、図7〜図10を参照して説明されたような、ビームインデックス識別器によって実行され得る。
【０２３７】
ブロック1830において、UE115は、ビームインデックスの集合のうちの第1のビームインデックスと関連付けられる第1の値を決定し得る。ブロック1830の動作は、本明細書で説明される方法に従って実行され得る。いくつかの例では、ブロック1830の動作の態様は、図7〜図10を参照して説明されたような、値識別器によって実行され得る。
【０２３８】
ブロック1835において、UE115は、1つまたは複数の追加のテーブルに少なくとも一部基づいて、ビームインデックスの集合のうちの1つまたは複数の追加のビームインデックスと関連付けられる追加の値を決定し得る。ブロック1835の動作は、本明細書で説明される方法に従って実行され得る。いくつかの例では、ブロック1835の動作の態様は、図7〜図10を参照して説明されたような、値識別器によって実行され得る。
【０２３９】
ブロック1840において、UE115は、第1の値と追加の値のうちの1つまたは複数とを加算して、合成インデックス値を決定し得る。ブロック1840の動作は、本明細書で説明される方法に従って実行され得る。いくつかの例では、ブロック1840の動作の態様は、図7〜図10を参照して説明されたような合成インデックス構成要素によって実行され得る。
【０２４０】
ブロック1845において、UE115は、基地局に、合成インデックス値を送信し得る。ブロック1845の動作は、本明細書で説明される方法に従って実行され得る。いくつかの例では、ブロック1845の動作の態様は、図7〜図10を参照して説明されたような合成インデックス構成要素によって実行され得る。
【０２４１】
図19は、本開示の態様による、ビーム選択を示すためのスケーラブルプロセスのための方法1900を示すフローチャートを示す。方法1900の動作は、本明細書で説明されたように、UE115またはその構成要素によって実施され得る。たとえば、方法1900の動作は、図7〜図10を参照して説明されたようなUEビーム指示モジュールによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２４２】
ブロック1905において、UE115は、基地局から、基地局の1つまたは複数のアンテナポートと関連付けられる基準信号の集合を受信し得る。ブロック1905の動作は、本明細書で説明される方法に従って実行され得る。いくつかの例では、ブロック1905の動作の態様は、図7〜図10を参照して説明されたような、基準信号構成要素によって実行され得る。
【０２４３】
ブロック1910において、UE115は、基準信号の集合に少なくとも一部基づいてコードブックから1つまたは複数のビームを選択することができ、ビームインデックスの集合を特定することは選択された1つまたは複数のビームに少なくとも一部基づく。ブロック1910の動作は、本明細書で説明される方法に従って実行され得る。いくつかの例では、ブロック1910の動作の態様は、図7〜図10を参照して説明されたような、ビーム選択構成要素によって実行され得る。
【０２４４】
ブロック1915において、UE115は、基準信号の集合に少なくとも一部基づいてビームインデックスの集合を特定することができ、ビームインデックスの集合は、選択されるビームの数に等しい数のビームインデックスを備える。ブロック1915の動作は、本明細書で説明される方法に従って実行され得る。いくつかの例では、ブロック1915の動作の態様は、図7〜図10を参照して説明されたような、ビームインデックス識別器によって実行され得る。
【０２４５】
ブロック1920において、UE115は、ビームインデックスの集合のうちの第1のビームインデックスと関連付けられる第1の値を決定し得る。ブロック1920の動作は、本明細書で説明される方法に従って実行され得る。いくつかの例では、ブロック1920の動作の態様は、図7〜図10を参照して説明されたような、値識別器によって実行され得る。
【０２４６】
ブロック1925において、UE115は、1つまたは複数の追加のテーブルに少なくとも一部基づいて、ビームインデックスの集合のうちの1つまたは複数の追加のビームインデックスと関連付けられる追加の値を決定し得る。ブロック1925の動作は、本明細書で説明される方法に従って実行され得る。いくつかの例では、ブロック1925の動作の態様は、図7〜図10を参照して説明されたような、値識別器によって実行され得る。
【０２４７】
ブロック1930において、UE115は、第1の値と追加の値のうちの1つまたは複数とを加算して、合成インデックス値を決定し得る。ブロック1930の動作は、本明細書で説明される方法に従って実行され得る。いくつかの例では、ブロック1930の動作の態様は、図7〜図10を参照して説明されたような合成インデックス構成要素によって実行され得る。
【０２４８】
ブロック1935において、UE115は、基地局に、合成インデックス値を送信し得る。ブロック1935の動作は、本明細書で説明される方法に従って実行され得る。いくつかの例では、ブロック1935の動作の態様は、図7〜図10を参照して説明されたような合成インデックス構成要素によって実行され得る。
【０２４９】
図20は、本開示の態様による、ビーム選択を示すためのスケーラブルプロセスのための方法2000を示すフローチャートを示す。方法2000の動作は、本明細書で説明されるような基地局105またはその構成要素によって実施され得る。たとえば、方法2000の動作は、図11〜図14を参照して説明されたような基地局ビーム指示モジュールによって実行され得る。いくつかの例では、基地局105は、以下で説明される機能を実行するようにデバイスの機能要素を制御するためにコードのセットを実行し得る。加えて、または代わりに、基地局105は、専用ハードウェアを使用して以下で説明される機能の態様を実行し得る。
【０２５０】
ブロック2005において、基地局105は、UEから、選択されるビームの集合を示す合成インデックス値を受信し得る。ブロック2005の動作は、本明細書で説明される方法に従って実行され得る。いくつかの例では、ブロック2005の動作の態様は、図11〜図14を参照して説明されたような合成インデックス構成要素によって実行され得る。
【０２５１】
ブロック2010において、基地局105は、現在のテーブルおよび合成インデックス値に少なくとも一部基づいて、選択されるビームの集合のうちの第1の選択されるビームに対する最大のビームインデックスを決定し得る。ブロック2010の動作は、本明細書で説明される方法に従って実行され得る。いくつかの例では、ブロック2010の動作の態様は、図11〜図14を参照して説明されたような、ビームインデックス識別器によって実行され得る。
【０２５２】
ブロック2015において、基地局105は、1つまたは複数の追加のテーブルおよび更新された合成インデックス値に少なくとも一部基づいて、選択されるビームの集合のうちの各々の追加の選択されるビームに対する追加のビームインデックスを決定し得る。ブロック2015の動作は、本明細書で説明される方法に従って実行され得る。いくつかの例では、ブロック2015の動作の態様は、図11〜図14を参照して説明されたような、ビームインデックス識別器によって実行され得る。
【０２５３】
図21は、本開示の態様による、ビーム選択を示すためのスケーラブルプロセスのための方法2100を示すフローチャートを示す。方法2100の動作は、本明細書で説明されるような基地局105またはその構成要素によって実施され得る。たとえば、方法2100の動作は、図11〜図14を参照して説明されたような基地局ビーム指示モジュールによって実行され得る。いくつかの例では、基地局105は、以下で説明される機能を実行するようにデバイスの機能要素を制御するためにコードのセットを実行し得る。加えて、または代わりに、基地局105は、専用ハードウェアを使用して以下で説明される機能の態様を実行し得る。
【０２５４】
ブロック2105において、基地局105は、UEに、1つまたは複数のアンテナポートと関連付けられる基準信号の集合を送信し得る。ブロック2105の動作は、本明細書で説明される方法に従って実行され得る。いくつかの例では、ブロック2105の動作の態様は、図11〜図14を参照して説明されたような、基準信号構成要素によって実行され得る。
【０２５５】
ブロック2110において、基地局105は、UEから、選択されるビームの集合を示す合成インデックス値を受信し得る。ブロック2110の動作は、本明細書で説明される方法に従って実行され得る。いくつかの例では、ブロック2110の動作の態様は、図11〜図14を参照して説明されたような合成インデックス構成要素によって実行され得る。
【０２５６】
ブロック2115において、基地局105は、合成インデックス値以下である現在のテーブルの最大の値を特定することができ、最大のビームインデックスが、特定された最大の値に対応するインデックスに設定される。ブロック2115の動作は、本明細書で説明される方法に従って実行され得る。いくつかの例では、ブロック2115の動作の態様は、図11〜図14を参照して説明されたような反復的インデクシング構成要素によって実行され得る。
【０２５７】
ブロック2120において、基地局105は、特定された最大の値を合成インデックス値から差し引くことによって、合成インデックス値を更新し得る。ブロック2120の動作は、本明細書で説明される方法に従って実行され得る。いくつかの例では、ブロック2120の動作の態様は、図11〜図14を参照して説明されたような反復的インデクシング構成要素によって実行され得る。
【０２５８】
ブロック2125において、基地局105は、更新された合成インデックス値以下である1つまたは複数の追加のテーブルの次のテーブルの追加の最大の値を特定することができ、追加のビームインデックスが、特定された追加の最大の値に対応する追加のインデックスに設定される。ブロック2125の動作は、本明細書で説明される方法に従って実行され得る。いくつかの例では、ブロック2125の動作の態様は、図11〜図14を参照して説明されたような反復的インデクシング構成要素によって実行され得る。
【０２５９】
ブロック2130において、基地局105は、特定された追加の最大の値を更新される合成インデックス値から差し引くことによって、更新される合成インデックス値を更新し得る。ブロック2130の動作は、本明細書で説明される方法に従って実行され得る。いくつかの例では、ブロック2130の動作の態様は、図11〜図14を参照して説明されたような反復的インデクシング構成要素によって実行され得る。
【０２６０】
図22は、本開示の態様による、ビーム選択を示すためのスケーラブルプロセスのための方法2200を示すフローチャートを示す。方法2200の動作は、本明細書で説明されるような基地局105またはその構成要素によって実施され得る。たとえば、方法2200の動作は、図11〜図14を参照して説明されたような基地局ビーム指示モジュールによって実行され得る。いくつかの例では、基地局105は、以下で説明される機能を実行するようにデバイスの機能要素を制御するためにコードのセットを実行し得る。加えて、または代わりに、基地局105は、専用ハードウェアを使用して以下で説明される機能の態様を実行し得る。
【０２６１】
ブロック2205において、基地局105は、UEに、1つまたは複数のアンテナポートと関連付けられる基準信号の集合を送信し得る。ブロック2205の動作は、本明細書で説明される方法に従って実行され得る。いくつかの例では、ブロック2205の動作の態様は、図11〜図14を参照して説明されたような、基準信号構成要素によって実行され得る。
【０２６２】
ブロック2210において、基地局105は、UEから、選択されるビームの集合を示す合成インデックス値を受信し得る。ブロック2210の動作は、本明細書で説明される方法に従って実行され得る。いくつかの例では、ブロック2210の動作の態様は、図11〜図14を参照して説明されたような合成インデックス構成要素によって実行され得る。
【０２６３】
ブロック2215において、基地局105は、現在のテーブルおよび合成インデックス値に少なくとも一部基づいて、選択されるビームの集合のうちの第1の選択されるビームに対する最大のビームインデックスを決定し得る。ブロック2215の動作は、本明細書で説明される方法に従って実行され得る。いくつかの例では、ブロック2215の動作の態様は、図11〜図14を参照して説明されたような、ビームインデックス識別器によって実行され得る。
【０２６４】
ブロック2220において、基地局105は、1つまたは複数の追加のテーブルおよび更新された合成インデックス値に少なくとも一部基づいて、選択されるビームの集合のうちの各々の追加の選択されるビームに対する追加のビームインデックスを決定し得る。ブロック2220の動作は、本明細書で説明される方法に従って実行され得る。いくつかの例では、ブロック2220の動作の態様は、図11〜図14を参照して説明されたような、ビームインデックス識別器によって実行され得る。
【０２６５】
ブロック2225において、基地局105は、コードブックおよび最大のビームインデックスおよび各々の追加のビームインデックスに少なくとも一部基づいて、選択されるビームの集合を特定し得る。ブロック2225の動作は、本明細書で説明される方法に従って実行され得る。いくつかの例では、ブロック2225の動作の態様は、図11〜図14を参照して説明されたような、ビーム選択構成要素によって実行され得る。
【０２６６】
上で説明された方法が可能な実装形態を説明していること、動作およびステップが再構成されてよく、または他の方法で修正されてよいこと、ならびに他の実装形態が可能であることに留意されたい。さらに、方法のうちの2つ以上からの態様が組み合わされてよい。
【０２６７】
本明細書で説明された技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなどの様々なワイヤレス通信システムに使用され得る。CDMAシステムは、CDMA2000、Universal Terrestrial Radio Access(UTRA)などの無線技術を実装し得る。CDMA2000は、IS-2000、IS-95およびIS-856規格をカバーする。IS-2000リリースは、一般に、CDMA2000 1X、1Xなどと呼ばれることがある。IS-856(TIA-856)は、一般に、CDMA2000 1xEV-DO、High Rate Packet Data(HRPD)などと呼ばれる。UTRAは、Wideband CDMA(WCDMA(登録商標))、およびCDMAの他の変形を含む。TDMAシステムは、Global System for Mobile Communications(GSM(登録商標))などの無線技術を実装し得る。
【０２６８】
OFDMAシステムは、ウルトラモバイルブロードバンド(UMB)、Evolved UTRA(E-UTRA)、米国電気電子技術者協会(IEEE) 802.11(Wi-Fi)、IEEE 802.16(WiMAX)、IEEE 802.20、Flash-OFDMなどの無線技術を実装し得る。UTRAおよびE-UTRAは、Universal Mobile Telecommunications System(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)という名称の組織からの文書に記載されている。CDMA2000およびUMBは、「第3世代パートナーシッププロジェクト2」(3GPP2)と称する団体からの文書に記載されている。本明細書で説明された技法は、上述のシステムおよび無線技術、ならびに他のシステムおよび無線技術に使用され得る。LTEシステムまたはNRシステムの態様が例として説明されることがあり、説明の大部分においてLTE用語またはNR用語が使用されることがあるが、本明細書で説明された技法はLTE適用例またはNR適用例以外に適用可能である。
【０２６９】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連付けを有するUE115(たとえば、限定加入者グループ(CSG)内のUE115、自宅内のユーザのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セルをサポートすることができ、1つまたは複数のコンポーネントキャリアを使用する通信もサポートすることができる。
【０２７０】
本明細書で説明される1つまたは複数のワイヤレス通信システム100は、同期動作または非同期動作をサポートし得る。同期動作の場合、基地局105は、同様のフレームタイミングを有することがあり、異なる基地局105からの送信は、時間的にほぼ揃えられることがある。非同期動作の場合、基地局105は、異なるフレームタイミングを有することがあり、異なる基地局105からの送信は、時間的に揃えられないことがある。本明細書で説明される技法は、同期動作または非同期動作のいずれかに使用され得る。
【０２７１】
本明細書で説明された情報および信号は、多種多様な技術および技法のいずれを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場または光学粒子、またはそれらの任意の組合せによって表され得る。
【０２７２】
本明細書の開示に関して説明された様々な例示的なブロックおよびモジュールは、汎用プロセッサ、DSP、ASIC、FPGAもしくは他のプログラマブル論理デバイス(PLD)、個別ゲートもしくはトランジスタ論理構成要素、個別ハードウェア構成要素、または本明細書で説明された機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、またはステートマシンであってもよい。プロセッサは、コンピューティングデバイスの組合せ(たとえば、DSPとマイクロプロセッサとの組合せ、複数のマイクロプロセッサ、DSPコアと連携した1つまたは複数のマイクロプロセッサ、または任意の他のそのような構成)としても実装され得る。
【０２７３】
本明細書で説明された機能は、ハードウェア、プロセッサによって実行されるソフトウェア、ファームウェア、またはそれらの任意の組合せとして実装され得る。プロセッサによって実行されるソフトウェアにおいて実装される場合、機能は、1つまたは複数の命令またはコードとして、コンピュータ可読記録媒体上に記憶され、またはコンピュータ可読記録媒体を介して送信され得る。他の例および実装形態は、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的位置において実装されるように分散されることを含めて、様々な場所に物理的に配置され得る。
【０２７４】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読記録媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され、汎用コンピュータもしくは専用コンピュータまたは汎用プロセッサもしくは専用プロセッサによってアクセスされ得る任意の他の非一時的記録媒体を備え得る。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記のものの組合せも、コンピュータ可読媒体の範囲内に含まれる。
【０２７５】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」として説明された例示的なステップは、本開示の範囲から逸脱することなく、条件Aと条件Bの両方に基づき得る。言い換えれば、本明細書で使用される「に基づいて」という句は、「に少なくとも一部基づいて」という句と同じように解釈されるべきである。
【０２７６】
添付の図面では、類似の構成要素または特徴は、同じ参照ラベルを有し得る。さらに、同じタイプの様々な構成要素は、参照ラベルの後に、ダッシュ、および類似の構成要素を区別する第2のラベルを続けることによって区別され得る。第1の参照ラベルのみが本明細書で使用される場合、説明は、第2の参照ラベルまたは他の後続の参照ラベルにかかわらず、同じ第1の参照ラベルを有する同様の構成要素のうちのいずれにも適用可能である。
【０２７７】
添付の図面に関して本明細書に記載する説明は、例示的な構成を説明しており、実装され得るかまたは特許請求の範囲内に入るすべての例を表すとは限らない。本明細書で使用される「例示的」という用語は、「例、事例、または例示として働くこと」ことを意味し、「好ましい」または「他の例よりも有利な」を意味するものではない。発明を実施するための形態は、説明された技法の理解をもたらすための具体的な詳細を含む。しかしながら、これらの技法は、これらの具体的な詳細なしで実践され得る。いくつかの事例では、説明された例の概念を不明瞭にすることを回避するために、よく知られている構造およびデバイスがブロック図の形式で示される。
【０２７８】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されず、本明細書で開示された原理および新規の特徴に合致する最も広い範囲を与えられるべきである。
【符号の説明】
【０２７９】
105  基地局
110  地理的カバレッジエリア
115  UE
125  通信リンク
130  コアネットワーク
132  バックホールリンク
134  バックホールリンク
205  ダウンリンク信号
210  アップリンク信号
215  基準信号
220  合成インデックス値
305  テーブル
310  ビームインデックス
315  値
320  使用されていないエントリ
325  テーブルおよびエントリの部分集合
705  ワイヤレスデバイス
710  受信機
715  UEビーム指示モジュール
720  送信機
805  ワイヤレスデバイス
810  受信機
815  UEビーム指示モジュール
820  送信機
825  基準信号構成要素
830  ビームインデックス識別器
835  値識別器
840  合成インデックス構成要素
915  UEビーム指示モジュール
920  基準信号構成要素
925  ビームインデックス識別器
930  値識別器
935  合成インデックス構成要素
940  テーブル生成構成要素
945  構成 構成要素
950  テーブル選択構成要素
955  サブビームインデックス識別器
960  ビーム選択構成要素
1005  デバイス
1010  バス
1015  UEビーム指示モジュール
1020  プロセッサ
1025  メモリ
1030  ソフトウェア
1035  トランシーバ
1040  アンテナ
1045  I/Oコントローラ
1105  ワイヤレスデバイス
1110  受信機
1115  基地局ビーム指示モジュール
1120  送信機
1205  ワイヤレスデバイス
1210  受信機
1215  基地局ビーム指示モジュール
1220  送信機
1225  基準信号構成要素
1230  合成インデックス構成要素
1235  ビームインデックス識別器
1315  基地局ビーム指示モジュール
1320  基準信号構成要素
1325  合成インデックス構成要素
1330  ビームインデックス識別器
1335  反復的インデクシング構成要素
1340  テーブル選択構成要素
1345  サブビームインデックス識別器
1350  ビーム選択構成要素
1405  デバイス
1410  バス
1415  基地局ビーム指示モジュール
1420  プロセッサ
1425  メモリ
1430  ソフトウェア
1435  トランシーバ
1440  アンテナ
1445  ネットワーク通信マネージャ
1450  局間通信マネージャ
【図１】
2020530687.tif 000019
【図２】
2020530687.tif 000020
【図３】
2020530687.tif 000021
【図４】
2020530687.tif 000022
【図５】
2020530687.tif 000023
【図６】
2020530687.tif 000024
【図７】
2020530687.tif 000025
【図８】
2020530687.tif 000026
【図９】
2020530687.tif 000027
【図１０】
2020530687.tif 000028
【図１１】
2020530687.tif 000029
【図１２】
2020530687.tif 000030
【図１３】
2020530687.tif 000031
【図１４】
2020530687.tif 000032
【図１５】
2020530687.tif 000033
【図１６】
2020530687.tif 000034
【図１７】
2020530687.tif 000035
【図１８】
2020530687.tif 000036
【図１９】
2020530687.tif 000037
【図２０】
2020530687.tif 000038
【図２１】
2020530687.tif 000039
【図２２】
2020530687.tif 000040
【国際調査報告】
2020530687.tif 000041
2020530687.tif 000042
2020530687.tif 000043